(57)【要約】【課題】トルク伝達経路にトルク変動が発生した場合であっても、運転者の操舵操作に対して転舵モータを適切に制御可能な車両用操舵制御装置及び車両用操舵制御方法を提供する。【解決手段】操舵角に仮想変位角を加算した仮想操舵角をユニバーサルジョイント出力角算出モデルに入力した値に基づいて、ユニバーサルジョイントの仮想ピニオン角を算出し、この仮想ピニオン角から、操舵角をユニバーサルジョイント出力角算出モデルに入力した値に基づいて算出した現在ピニオン角を減算してピニオン角偏差を算出し、このピニオン角偏差と仮想変位角との比に基づいてユニバーサルジョイントに入力された操舵角と、入力された操舵角に基づきユニバーサルジョイントから出力される出力角と、の比に基づいて演算した入出力トルク比とステアリングホイールに加わる操舵トルクに基づいてアシストトルクの指令値を算出する。【選択図】図１６
2014133531.tif 000002
【特許請求の範囲】
【請求項１】
ステアリングホイールと転舵輪との間のトルク伝達経路を連結するユニバーサルジョイントと、前記ステアリングホイールの操舵状態に応じて回転し前記転舵輪の転舵を補助するためのトルクであるアシストトルクを出力するアクチュエータと、を備える車両用操舵制御装置であって、
前記ステアリングホイールの操舵角を検出する操舵角検出部と、
前記ステアリングホイールに加わるトルクである操舵トルクを検出する操舵トルク検出部と、
前記ユニバーサルジョイントに入力された操舵角と、前記入力された操舵角に基づき前記ユニバーサルジョイントから出力される出力角と、の比に基づく入出力トルク比を演算するトルク比推定部と、
前記操舵トルク検出部が検出した操舵トルクと、前記トルク比推定部が演算した入出力トルク比と、に基づいて前記アシストトルクの指令値を算出するアシストトルク算出部と、を備え、
前記トルク比推定部は、前記操舵角検出部が検出した操舵角に、予め設定した仮想変位角を加算した仮想操舵角を、予め設定したユニバーサルジョイント出力角算出モデルに入力した値に基づいて算出される前記ユニバーサルジョイントの仮想ピニオン角と、前記操舵角検出部が検出した操舵角を前記ユニバーサルジョイント出力角算出モデルに入力した値に基づいて算出される現在ピニオン角と、を算出し、前記仮想ピニオン角及び前記現在ピニオン角に基づいてピニオン角偏差を算出し、当該算出したピニオン角偏差と、前記仮想変位角と、の比に基づいて前記入出力トルク比を演算し、
前記ユニバーサルジョイント出力角算出モデルは、前記ユニバーサルジョイントへ前記ステアリングホイール側から入力した角度である操舵輪側入力角と、前記ユニバーサルジョイントを介して前記操舵輪側入力角を前記転舵輪側へ出力した角度である転舵輪側出力角と、の関係を示すモデル式であることを特徴とする車両用操舵制御装置。
【請求項２】
前記アシストトルクを出力するアクチュエータを、前記転舵輪を転舵させる転舵アクチュエータとし、
前記トルク伝達経路を機械的に分離する開放状態と、前記トルク伝達経路を機械的に連結する連結状態と、を切り替えるクラッチと、
前記操舵角検出部が検出した操舵角が操舵側ユニバーサルジョイントを介して前記クラッチへ伝達された回転角である操舵側出力角に基づいて、前記トルク伝達経路の前記ステアリングホイール側における回転角である操舵側クラッチ角を算出する操舵側クラッチ角算出部と、
前記転舵アクチュエータの回転角である転舵アクチュエータ回転角を検出する転舵アクチュエータ回転角検出部と、
前記転舵アクチュエータ回転角検出部が検出した転舵アクチュエータ回転角が転舵側ユニバーサルジョイントを介して前記クラッチへ伝達された回転角である転舵側逆出力角に基づいて、前記トルク伝達経路の前記転舵輪側における回転角である転舵側クラッチ角を算出する転舵側クラッチ角算出部と、
前記操舵側クラッチ角算出部が算出した操舵側クラッチ角と前記転舵側クラッチ角算出部が算出した転舵側クラッチ角との偏差であるクラッチ角偏差を算出するクラッチ角偏差算出部と、を備え、
前記トルク比推定部は、前記操舵側クラッチ角算出部が算出した操舵側クラッチ角に前記クラッチ角偏差算出部が算出したクラッチ角偏差を加算した転舵角算出用転舵側クラッチ角を前記ユニバーサルジョイント出力角算出モデルに入力した値に基づいて、前記入出力トルク比を演算し、
前記アシストトルク算出部は、前記クラッチを連結状態に切り替えた状態で前記トルク比推定部が演算した入出力トルク比に基づいて、前記アシストトルクの指令値を算出することを特徴とする請求項１に記載した車両用操舵制御装置。
【請求項３】
前記操舵側クラッチ角算出部は、前記仮想操舵角が前記操舵側ユニバーサルジョイントを介して前記クラッチへ伝達された回転角に基づいて、前記操舵側クラッチ角を算出し、
前記転舵側クラッチ角算出部は、前記転舵角算出用転舵側クラッチ角を前記ユニバーサルジョイント出力角算出モデルに入力した値を前記仮想ピニオン角から減算した角度に前記転舵アクチュエータ回転角検出部が検出した転舵アクチュエータ回転角を加算した仮想合計出力角が、前記転舵側ユニバーサルジョイントを介して前記クラッチへ伝達された回転角に基づいて、前記転舵側クラッチ角を算出することを特徴とする請求項２に記載した車両用操舵制御装置。
【請求項４】
前記操舵角検出部が検出した操舵角と、当該操舵角に対応する前記入出力トルク比と、の関係を示す入出力トルク比マップを生成するトルク比マップ生成部と、
前記トルク比マップ生成部が生成したトルク比マップを記憶するトルク比マップ記憶部と、を備え、
前記トルク比マップ記憶部は、前記クラッチ角偏差算出部が算出したクラッチ角偏差が変化すると、前記記憶しているトルク比マップを前記変化したクラッチ角偏差に対応する入出力トルク比マップに変更し、
前記アシストトルク算出部は、前記トルク比マップ記憶部が記憶している入出力トルク比マップに基づいて、前記アシストトルクの指令値を算出することを特徴とする請求項２または請求項３に記載した車両用操舵制御装置。
【請求項５】
前記操舵角検出部が検出した操舵角と、当該操舵角に対応する前記入出力トルク比と、の関係を示す入出力トルク比マップを生成するトルク比マップ生成部を備え、
前記トルク比マップ生成部は、前記操舵角検出部が検出した操舵角が１８０度の変化幅で変化する間に前記トルク比推定部が演算した入出力トルク比の変動と、前記操舵角検出部が検出した操舵角と、を対応させて、前記入出力トルク比マップを生成し、
前記アシストトルク算出部は、前記トルク比マップ生成部が生成した入出力トルク比マップに基づいて、前記アシストトルクの指令値を算出することを特徴とする請求項１から請求項４のうちいずれか１項に記載した車両用操舵制御装置。
【請求項６】
前記トルク伝達経路は、複数のユニバーサルジョイントで連結され、
前記ユニバーサルジョイント出力角算出モデルの代わりに、前記複数のユニバーサルジョイントへ前記ステアリングホイール側から入力した角度の合計値である操舵輪側合計入力角と、前記複数のユニバーサルジョイントを介して前記操舵輪側入力角を前記転舵輪側へ出力した角度の合計値である転舵輪側合計出力角と、の関係を示すモデル式である総合ユニバーサルジョイント出力角算出モデルを用いることを特徴とする請求項１から請求項５のうちいずれか１項に記載した車両用操舵制御装置。
【請求項７】
前記アシストトルク算出部は、前記操舵トルク検出部が検出した操舵トルクを前記トルク比推定部が演算した入出力トルク比により補正して、前記アシストトルクの指令値を算出することを特徴とする請求項１から請求項６のうちいずれか１項に記載した車両用操舵制御装置。
【請求項８】
ステアリングホイールと転舵輪との間のトルク伝達経路をユニバーサルジョイントで連結し、前記ステアリングホイールの操舵状態に応じて回転するアクチュエータから前記転舵輪の転舵を補助するためのトルクであるアシストトルクを出力する車両用操舵制御方法であって、
前記ステアリングホイールの操舵角と、前記ステアリングホイールに加わるトルクである操舵トルクと、を検出し、
前記検出した操舵角に予め設定した仮想変位角を加算した仮想操舵角を、予め設定したユニバーサルジョイント出力角算出モデルに入力した値に基づいて、前記ユニバーサルジョイントの仮想ピニオン角を算出し、
前記検出した操舵角を前記ユニバーサルジョイント出力角算出モデルに入力した値に基づいて、現在ピニオン角を算出し、
前記算出した仮想ピニオン角及び前記算出した現在ピニオン角に基づいてピニオン角偏差を算出し、当該算出したピニオン角偏差と、前記仮想変位角と、の比に基づいて、前記ユニバーサルジョイントに入力された操舵角と、前記入力された操舵角に基づき前記ユニバーサルジョイントから出力される出力角と、の比に基づく入出力トルク比を演算し、
前記検出した操舵トルクと、前記演算した入出力トルク比に基づいて前記アシストトルクの指令値を算出し、
前記ユニバーサルジョイント出力角算出モデルは、前記ユニバーサルジョイントへ前記ステアリングホイール側から入力した角度である操舵輪側入力角と、前記ユニバーサルジョイントを介して前記操舵輪側入力角を前記転舵輪側へ出力した角度である転舵輪側出力角と、の関係を示すモデル式とすることを特徴とする車両用操舵制御方法。
【発明の詳細な説明】
【技術分野】
【０００１】
本発明は、ステアリングホイールと転舵輪との間のトルク伝達経路を機械的に連結した状態で、ステアリングホイールの操作に応じた転舵輪の転舵を転舵モータ等のアクチュエータによりアシストする、車両用操舵制御装置及び車両用操舵制御方法に関する。
【背景技術】
【０００２】
従来から、ステアリングホイール（操舵輪）と転舵輪との間のトルク伝達経路を機械的に分離した状態で、転舵輪を、ステアリングホイールの操作に応じた目標転舵角に転舵モータ等のアクチュエータを介して転舵させる操舵制御装置がある。このような操舵制御装置は、一般的に、ステア・バイ・ワイヤ（ＳＢＷ：Ｓｔｅｅｒ  Ｂｙ  Ｗｉｒｅ、以降の説明では、「ＳＢＷ」と記載する場合がある）と呼称するシステム（ＳＢＷシステム）を形成する装置であり、例えば、特許文献１に記載されている。
【０００３】
特許文献１に記載のＳＢＷシステムでは、転舵輪の実際の転舵角（以降の説明では、「実転舵角」と記載する場合がある）を検出するセンサ（ロータリーエンコーダ等）を備えない構成を実現するとともに、転舵輪の転舵角を算出することを目的としている。このため、ステアリングホイールの操舵角度範囲内の絶対角度と、転舵輪の転舵角度範囲内の角度を複数の周期に亘って検出した転舵絶対角度との偏差との和と、転舵角度範囲内の角度を複数の周期で検出した初期値との差をオフセット量として求める。そして、転舵輪の転舵角度範囲内の角度を複数の周期に亘って検出した転舵絶対角度とオフセット量の和を、相対的な転舵輪の転舵角として算出し、転舵輪の転舵角を算出する。
【先行技術文献】
【特許文献】
【０００４】
【特許文献１】特開２０１１‐００５９３３号公報
【発明の概要】
【発明が解決しようとする課題】
【０００５】
ところで、特許文献１に記載されている技術も含め、従来のＳＢＷシステムでは、ステアリングホイールと転舵輪との間のトルク伝達経路を、ユニバーサルジョイントを備えた構成とする場合がある。これは、ステアリングホイールと転舵輪との間における各種構成部品のレイアウト等に応じて構成する。
しかしながら、特許文献１に記載されている技術では、ステアリングホイールにより入力された操舵角の、トルク伝達経路でユニバーサルジョイントにより伝達される変化を考慮することなく、相対的な転舵輪の転舵角を算出して、転舵輪の転舵角を算出する。
【０００６】
したがって、ＳＢＷシステムの一部に異常が発生した場合等、トルク伝達経路を機械的に連結した状態において、ステアリングホイールの操舵角と転舵輪の転舵角との対応関係を適切に検出することが困難となる状態が発生する。これにより、トルク伝達経路を機械的に連結した状態において、運転者の操舵操作に応じて転舵輪の転舵を補助するためのアシストトルクを出力するアクチュエータの制御を、適切に行なうことが困難となるという問題がある。この問題は、以下の要因により発生する。
【０００７】
ユニバーサルジョイントを用いて連結した二つのシャフトには、ユニバーサルジョイントの不等速性により、回転角の位相が互いに異なる状態となるため、回転時に互いの角速度が異なる状態が発生する。これにより、ユニバーサルジョイントを用いて連結した二つのシャフトには、ユニバーサルジョイントの不等速性によって、予測が困難なトルク変動が発生する。このため、トルク伝達経路を伝達するトルクは、トルク伝達経路へ入力する操舵角の変化に伴って変動することとなる。
本発明は、上記のような問題点に着目してなされたもので、トルク伝達経路にトルク変動が発生した場合であっても、アシストトルクを出力するアクチュエータを適切に制御することが可能な車両用操舵制御装置及び車両用操舵制御方法を提供することを課題とする。
【課題を解決するための手段】
【０００８】
上記課題を解決するために、本発明は、ステアリングホイールの操舵状態に応じて回転するアクチュエータから出力する、転舵輪の転舵を補助するためのアシストトルクの指令値を、ステアリングホイールに加わる操舵トルクと入出力トルク比に基づいて算出する。ここで、入出力トルク比は、ステアリングホイールと転舵輪との間のトルク伝達経路を連結するユニバーサルジョイントに入力された操舵角と、この入力された操舵角に基づきユニバーサルジョイントから出力される出力角との比である。
【０００９】
また、入出力トルク比は、ユニバーサルジョイントの仮想ピニオン角から現在ピニオン角を減算したピニオン角偏差と、仮想ピニオン角の算出においてステアリングホイールの操舵角に加算する仮想変位角と、の比に基づいて演算する。ここで、仮想ピニオン角は、ステアリングホイールの操舵角に仮想変位角を加算した仮想操舵角を用いて算出し、現在ピニオン角は、ステアリングホイールの操舵角を用いて算出する。
【発明の効果】
【００１０】
本発明によれば、ユニバーサルジョイントの不等速性によりトルク伝達経路に発生し、操舵角の変化に伴って変動するトルク変動を、ピニオン角偏差と仮想変位角との比である入出力トルク比に基づいて推定することが可能となる。
このため、トルク変動に応じた入出力トルク比に基づいて、アシストトルクの指令値を算出することが可能となり、トルク伝達経路にトルク変動が発生した場合であっても、運転者の操舵操作に対してアクチュエータを適切に制御することが可能となる。
【図面の簡単な説明】
【００１１】
【図１】本発明の第一実施形態の車両用操舵制御装置を備えた車両の概略構成を示す図である。
【図２】本発明の第一実施形態の車両用操舵制御装置の概略構成を示すブロック図である。
【図３】ＳＢＷシステムのステアリング構造を示す図である。
【図４】指令演算部の構成を示すブロック図である。
【図５】クラッチ角偏差算出部がクラッチ角偏差を算出する処理を示すブロック図である。
【図６】波形マップを示す図である。
【図７】転舵角算出部が転舵輪の転舵角を算出する処理を示すブロック図である。
【図８】ＥＰＳ制御ブロックの構成を示すブロック図である。
【図９】入出力トルク比マップを示す図である。
【図１０】単体のユニバーサルジョイントが有する回転軸と、回転軸周りの回転運動との関係を示す図である。
【図１１】ユニバーサルジョイントにおける入力側の軸と出力側の軸との関係を示す図である。
【図１２】ユニバーサルジョイントにおける入力側の軸及び出力側の軸と、位相角との関係を示す図である。
【図１３】車両の出荷前に行なう処理を示すフローチャートである。
【図１４】出荷後の車両に対して行なう処理のうち、クラッチ角偏差を算出・記憶する処理を示すフローチャートである。
【図１５】出荷後の車両に対して行なう処理のうち、転舵輪の転舵角を算出する処理と、操舵角と転舵モータ回転角との関係を補正する処理を示すフローチャートである。
【図１６】トルク比推定部が入出力トルク比を演算する処理を示すフローチャートである。
【図１７】本発明の第一実施形態の車両用操舵制御装置を用いた車両の動作を示すタイムチャートである。
【発明を実施するための形態】
【００１２】
以下、本発明の実施形態について図面を参照しつつ説明する。
（第一実施形態）
以下、本発明の第一実施形態について、図面を参照しつつ説明する。
（構成）
図１は、本実施形態の車両用操舵制御装置１を備えた車両の概略構成を示す図である。また、図２は、本実施形態の車両用操舵制御装置１の概略構成を示すブロック図である。
本実施形態の車両用操舵制御装置１を備えた車両は、ＳＢＷシステムを適用した車両である。
【００１３】
ここで、ＳＢＷシステムでは、車両の運転者が操舵操作するステアリングホイール（操舵輪）の操作に応じてアクチュエータ（例えば、転舵モータ）を駆動制御して、転舵輪を転舵する制御を行うことにより、車両の進行方向を変化させる。転舵モータの駆動制御は、ステアリングホイールと転舵輪との間に介装するクラッチを、通常状態である開放状態に切り替えて、ステアリングホイールと転舵輪との間のトルク伝達経路を機械的に分離した状態で行う。
【００１４】
そして、例えば、断線等、ＳＢＷシステムの一部に異常が発生した場合には、開放状態のクラッチを締結状態に切り替えて、トルク伝達経路を機械的に接続することにより、運転者がステアリングホイールに加える力を用いて、転舵輪の転舵を継続する。これに加え、運転者によるステアリングホイールの操作状態（操舵量、操舵トルク、操舵速度等）に応じて、転舵モータからアシストトルクを出力するＥＰＳ（Ｅｌｅｃｔｒｉｃ  Ｐｏｗｅｒ  Ｓｔｅｅｒｉｎｇ）制御を行なう。なお、車両の構成を、例えば、車室内に配置した制御切り替えスイッチを備える構成として、運転者が制御切り替えスイッチを操作することにより、ＳＢＷシステムによる制御からＥＰＳ制御への切り替えを、運転者により任意に行なうことが可能な構成としてもよい。
【００１５】
図１及び図２中に示すように、本実施形態の車両用操舵制御装置１は、転舵モータ２と、転舵モータ制御部４と、クラッチ６と、反力モータ８と、反力モータ制御部１０を備える。
転舵モータ２は、転舵モータ制御部４が出力する転舵モータ駆動電流に応じて駆動する電動モータであり、上述した目標転舵角に応じて回転して、転舵輪を転舵制御する転舵アクチュエータを形成する。また、転舵モータ２は、転舵モータ駆動電流に応じて駆動することにより、転舵輪を転舵させるための転舵トルクを出力する。なお、転舵アクチュエータとしては、電動モータ以外に、動力シリンダーや、ソレノイドを備えた油圧回路等を用いることが可能である。
また、転舵モータ２は、回転可能な転舵モータ出力軸１２を有する。
【００１６】
転舵モータ出力軸１２の先端側には、ピニオンギヤを用いて形成した転舵出力歯車１２ａを設けてある。
転舵出力歯車１２ａは、ステアリングラック１４に挿通させたラック軸１８の両端部間に設けたラックギヤ１８ａと噛合する。
また、転舵モータ２には、転舵モータ角度センサ１６と、転舵モータトルクセンサ２ｔを設ける。
【００１７】
転舵モータ角度センサ１６は、転舵モータ２の回転角である転舵モータ回転角を検出し、この検出した転舵モータ回転角を含む情報信号を、転舵モータ制御部４を介して、反力モータ制御部１０へ出力する。
転舵モータトルクセンサ２ｔは、転舵モータ２が駆動時に発生させるトルクである転舵モータトルクを検出する。そして、転舵モータトルクセンサ２ｔは、検出した転舵モータトルクを含む情報信号を、反力モータ制御部１０へ出力する。なお、以降の説明では、転舵モータトルクを、「トルクセンサ値Ｖｔｍ」と記載する場合がある。また、転舵モータトルクセンサ２ｔが検出した転舵モータトルクは、操舵トルクに変換してもよい。
【００１８】
なお、本実施形態では、転舵モータトルクセンサ２ｔが検出した転舵モータトルクを、運転者がステアリングホイール３２に加えているトルクである操舵トルクに変換する。そして、この変換した操舵トルクを含む情報信号を、反力モータ制御部１０へ出力する場合について説明する。
ステアリングラック１４は、円筒形状に形成してあり、転舵モータ出力軸１２の回転、すなわち、転舵出力歯車１２ａの回転に応じて車幅方向へ変位するラック軸１８を挿通させる。
【００１９】
また、ステアリングラック１４の内部には、ラック軸１８の外径面を全周から覆うストッパ部１４ａを二つ設ける。二つのストッパ部１４ａは、それぞれ、ステアリングラック１４の内部において、転舵出力歯車１２ａよりも車幅方向右側及び左側に設ける。なお、図１中では、二つのストッパ部１４ａのうち、転舵出力歯車１２ａよりも車幅方向右側に設けたストッパ部１４ａの図示を省略する。
【００２０】
ラック軸１８の、ステアリングラック１４に挿通させて内部に配置した部分のうち、ストッパ部１４ａよりも車幅方向右側及び左側の部分には、それぞれ、ストッパ部１４ａとラック軸１８の軸方向で対向する端当て部材１８ｂを設ける。なお、図１中では、二つの端当て部材１８ｂのうち、ストッパ部１４ａよりも車幅方向右側に設けた端当て部材１８ｂの図示を省略する。
【００２１】
ラック軸１８の両端は、それぞれ、タイロッド２０及びナックルアーム２２を介して、転舵輪２４に連結する。また、ラック軸１８とタイロッド２０との間には、タイヤ軸力センサ２６を設ける。
タイヤ軸力センサ２６は、ラック軸１８の軸方向（車幅方向）に作用する軸力を検出し、この検出した軸力（以降の説明では、「タイヤ軸力」と記載する場合がある）を含む情報信号を、反力モータ制御部１０へ出力する。
【００２２】
転舵輪２４は、車両の前輪（左右前輪）であり、転舵モータ出力軸１２の回転に応じてラック軸１８が車幅方向へ変位すると、タイロッド２０及びナックルアーム２２を介して転舵し、車両の進行方向を変化させる。なお、本実施形態では、転舵輪２４を、左右前輪で形成した場合を説明する。これに伴い、図１中では、左前輪で形成した転舵輪２４を、転舵輪２４Ｌと示し、右前輪で形成した転舵輪２４を、転舵輪２４Ｒと示す。
【００２３】
転舵モータ制御部４は、反力モータ制御部１０と、ＣＡＮ（Ｃｏｎｔｒｏｌｌｅｒ  Ａｒｅａ  Ｎｅｔｗｏｒｋ）等の通信ライン２８を介して、情報信号の入出力を行う。
また、転舵モータ制御部４は、転舵位置サーボ制御部３０と、転舵側前回処理内容記憶部ＭＡを有する。
転舵位置サーボ制御部３０は、転舵モータ２を駆動させるための転舵モータ駆動電流を演算し、この演算した転舵モータ駆動電流を、転舵モータ２へ出力する。
【００２４】
ここで、転舵モータ駆動電流は、上述した転舵トルクを制御して、ステアリングホイールの操作に応じた目標転舵角を算出し、この算出した目標転舵角に応じて転舵モータ２を駆動制御するための電流である。
転舵モータ駆動電流の演算は、反力モータ制御部１０が出力する転舵モータ電流指令と、実際に転舵モータ２へ通電している電流（転舵モータ実電流）の指令値（以降の説明では、「転舵モータ実電流指令Ｉｔ」と記載する場合がある）に基づいて行う。具体的には、転舵モータ実電流指令Ｉｔを用いて転舵モータ電流指令を補正し、転舵モータ駆動電流を演算する。
【００２５】
また、転舵位置サーボ制御部３０は、転舵モータ実電流指令Ｉｔを計測し、この計測した転舵モータ実電流指令Ｉｔに基づいて、転舵モータ２の温度Ｔｔを推定する。そして、推定した転舵モータ２の温度Ｔｔを含む情報信号を、反力モータ制御部１０へ出力する。これは、電流の通電による抵抗発熱に起因するモータ類（転舵モータ２、反力モータ８）の過熱を推定するためである。
なお、転舵モータ実電流指令Ｉｔは、例えば、転舵モータ２に基板温度センサ（図示せず）を内蔵し、この内蔵した基板温度センサを用いて計測する。
【００２６】
ここで、転舵モータ実電流指令Ｉｔに基づいて転舵モータ２の温度Ｔｔを推定する方法としては、例えば、大電流域では、計測した実際の電流値を用いて転舵モータ実電流指令Ｉｔを求める。具体的には、計測した実際の電流値と予め記憶している電流閾値とを比較し、計測した実際の電流値が電流閾値よりも大きい場合は、計測した実際の電流値を、転舵モータ実電流指令Ｉｔとして採用する。
【００２７】
一方、小電流域では、転舵モータ２の回転数とトルクとの関係を定めたモータＮＴ特性を用い、転舵モータ２の回転数に基づいて、転舵モータ実電流指令Ｉｔを推定する。具体的には、計測した実際の電流値を転舵モータ実電流指令Ｉｔとして採用せず、モータＮＴ特性を用い、転舵モータ２の回転数に基づいて推定した電流値を、転舵モータ実電流指令Ｉｔとして採用する。
そして、上記のように採用した転舵モータ実電流指令Ｉｔを用いて、転舵モータ２の温度Ｔｔを推定する。
なお、転舵側前回処理内容記憶部ＭＡに関する説明は、後述する。
【００２８】
クラッチ６は、運転者が操作するステアリングホイール３２と転舵輪２４との間に介装し、反力モータ制御部１０が出力するクラッチ駆動電流に応じて、開放状態または締結状態を切り替える。なお、クラッチ６は、通常状態では、開放状態である。
ここで、クラッチ６の状態を開放状態に切り替えると、ステアリングホイール３２と転舵輪２４との間のトルク伝達経路を機械的に分離させて、ステアリングホイール３２の操舵操作が転舵輪２４へ伝達されない状態とする。一方、クラッチ６の状態を締結状態に切り替えると、ステアリングホイール３２と転舵輪２４との間のトルク伝達経路を機械的に連結させて、ステアリングホイール３２の操舵操作が転舵輪２４へ伝達される状態とする。
【００２９】
また、ステアリングホイール３２とクラッチ６との間には、操舵角センサ３４と、操舵トルクセンサ３６と、反力モータ８と、反力モータ角度センサ３８を配置する。
操舵角センサ３４は、例えば、ステアリングホイール３２を回転可能に支持するステアリングコラムに設ける。
また、操舵角センサ３４は、ステアリングホイール３２の現在の回転角（操舵角）である現在操舵角を検出する。そして、操舵角センサ３４は、検出したステアリングホイール３２の現在操舵角を含む情報信号を、反力モータ制御部１０へ出力する。なお、以降の説明では、現在操舵角を、「現在操舵角θＨ」と記載する場合がある。
【００３０】
ここで、近年の車両は、ステアリングホイール３２の操舵角を検出可能なセンサを、標準的に備えている場合が多い。このため、本実施形態では、操舵角センサ３４として、車両に既存のセンサである、ステアリングホイール３２の操舵角を検出可能なセンサを用いた場合について説明する。
操舵トルクセンサ３６は、操舵角センサ３４と同様、例えば、ステアリングホイール３２を回転可能に支持するステアリングコラムに設ける。
【００３１】
また、操舵トルクセンサ３６は、運転者がステアリングホイール３２に加えているトルクである操舵トルクを検出する。そして、操舵トルクセンサ３６は、検出した操舵トルクを含む情報信号を、反力モータ制御部１０へ出力する。なお、以降の説明では、操舵トルクを、「トルクセンサ値Ｖｔｓ」と記載する場合がある。
なお、反力モータ８及び反力モータ角度センサ３８に関する説明は、後述する。
【００３２】
また、クラッチ６は、開放状態で互いに離間し、締結状態で互いに噛合する一対のクラッチ板４０を有する。なお、図１中及び以降の説明では、一対のクラッチ板４０のうち、ステアリングホイール３２側に配置するクラッチ板４０を、「操舵輪側クラッチ板４０ａ」とし、転舵輪２４側に配置するクラッチ板４０を、「転舵輪側クラッチ板４０ｂ」とする。
【００３３】
操舵輪側クラッチ板４０ａは、ステアリングホイール３２と共に回転するステアリングシャフト４２に取り付けてあり、ステアリングシャフト４２と共に回転する。
転舵輪側クラッチ板４０ｂは、ピニオン軸４４の一端に取り付けてあり、ピニオン軸４４と共に回転する。
ピニオン軸４４の他端は、ピニオン４６内に配置してある。
【００３４】
ピニオン４６には、ラックギヤ１８ａと噛合するステアリングギヤ（図示せず）を内蔵する。これに加え、ピニオン４６には、ピニオン軸トルクセンサ４６ｔを設ける。
ピニオン軸トルクセンサ４６ｔは、ピニオン軸４４に加わるトルクであるピニオン軸トルクを検出する。そして、ピニオン軸トルクセンサ４６ｔは、検出したピニオン軸トルクを含む情報信号を、反力モータ制御部１０へ出力する。なお、以降の説明では、ピニオン軸トルクを、「トルクセンサ値Ｖｔｐ」と記載する場合がある。
【００３５】
なお、本実施形態では、ピニオン軸トルクセンサ４６ｔが検出したピニオン軸トルクを、運転者がステアリングホイール３２に加えているトルクである操舵トルクに変換する。そして、この変換した操舵トルクを含む情報信号を、反力モータ制御部１０へ出力する場合について説明する。
ステアリングギヤは、ピニオン軸４４と共に回転する。すなわち、ステアリングギヤは、ピニオン軸４４を介して、転舵輪側クラッチ板４０ｂと共に回転する。
【００３６】
反力モータ８は、反力モータ制御部１０が出力する反力モータ駆動電流に応じて駆動する電動モータであり、ステアリングホイール３２へ操舵反力を出力可能な反力アクチュエータを形成する。なお。操舵反力の出力は、ステアリングホイール３２と共に回転するステアリングシャフト４２を回転させて行なう。ここで、反力モータ８がステアリングホイール３２へ出力する操舵反力は、転舵輪２４に作用しているタイヤ軸力やステアリングホイール３２の操舵状態に応じて演算する。この演算は、クラッチ６を開放状態に切り替えて、ステアリングホイール３２と転舵輪２４との間のトルク伝達経路を機械的に分離させている状態で行なう。これにより、ステアリングホイール３２を操舵する運転者へ、適切な操舵反力を伝達する。すなわち、反力モータ８がステアリングホイール３２へ出力する操舵反力は、運転者がステアリングホイール３２を操舵する操作方向とは反対方向へ作用する反力である。なお、反力アクチュエータとしては、電動モータ以外に、動力シリンダーや、ソレノイドを備えた油圧回路等を用いることが可能である。
【００３７】
反力モータ角度センサ３８は、反力モータ８に設けるセンサである。
また、反力モータ角度センサ３８は、反力モータ８の回転角を検出し、この検出した回転角（以降の説明では、「反力モータ回転角」と記載する場合がある）を含む情報信号を、反力モータ制御部１０へ出力する。
反力モータ制御部１０は、転舵モータ制御部４と、通信ライン２８を介して、情報信号の入出力を行う。これに加え、反力モータ制御部１０は、通信ライン２８を介して、車速センサ５０及びエンジンコントローラ５２が出力する情報信号の入力を受ける。
また、反力モータ制御部１０は、通信ライン２８を介して入力を受けた情報信号や、各種センサから入力を受けた情報信号に基づき、反力モータ８を駆動制御する。
【００３８】
車速センサ５０は、例えば、公知の車速センサであり、車両の車速を検出し、この検出した車速を含む情報信号を、反力モータ制御部１０へ出力する。
エンジンコントローラ５２（エンジンＥＣＵ）は、エンジン（図示せず）の状態（エンジン駆動、または、エンジン停止）を含む情報信号を、反力モータ制御部１０へ出力する。
また、反力モータ制御部１０は、指令演算部５４と、反力サーボ制御部５６と、クラッチ制御部５８と、反力側前回処理内容記憶部ＭＢを有する。
【００３９】
指令演算部５４は、車速センサ５０、操舵角センサ３４、エンジンコントローラ５２、操舵トルクセンサ３６、反力モータ角度センサ３８、タイヤ軸力センサ２６及び転舵モータ角度センサ１６が出力した情報信号の入力を受ける。
なお、指令演算部５４の詳細な構成についての説明は、後述する。
反力サーボ制御部５６は、反力モータ８を駆動させるための反力モータ駆動電流を反力モータ８へ出力する。
また、反力サーボ制御部５６は、実際に反力モータ８へ通電している電流（反力モータ実電流）の値（以降の説明では、「反力モータ電流値Ｉｈ」と記載する場合がある）を計測する。
【００４０】
ここで、反力モータ駆動電流の演算は、指令演算部５４が出力する反力モータ電流指令（後述）と、反力モータ電流値Ｉｈに基づいて行う。具体的には、反力モータ電流値Ｉｈを用いて反力モータ電流指令を補正し、反力モータ駆動電流を演算する。
また、反力サーボ制御部５６は、計測した反力モータ電流値Ｉｈに基づいて、反力モータ８の温度Ｔｈを推定する。なお、反力モータ８の温度Ｔｈの推定は、例えば、転舵位置サーボ制御部３０が行う転舵モータ２の温度Ｔｔの推定と、同様の手順で行う。
クラッチ制御部５８は、指令演算部５４が出力するクラッチ電流指令（後述）に基づいて、開放状態のクラッチ６を締結状態へ切り替えるために必要な電流を、クラッチ駆動電流として演算する。そして、演算したクラッチ駆動電流を、クラッチ６へ出力する。
なお、反力側前回処理内容記憶部ＭＢに関する説明は、後述する。
【００４１】
次に、図１及び図２を参照しつつ、図３を用いて、詳細なステアリング構造について説明する。
図３は、ＳＢＷシステムのステアリング構造を示す図である。
ステアリングホイール３２は、ステアリングシャフト４２の一端に連結してある。
ステアリングシャフト４２は、ステアリングコラム５によって回転自在に保持されている。
また、ステアリングシャフト４２の他端は、ユニバーサルジョイント７を介して操舵側中間シャフト９の一端に連結している。
【００４２】
ステアリングコラム５には、ステアリングシャフト４２に連結した反力モータ８を設けている。
反力モータ８は、転舵角に応じて転舵輪側からステアリングホイール方向へ伝達される路面反力に応じた反力トルクをステアリングシャフト４２へ付与する。これにより、クラッチ６が解放されているときであっても、運転者は、転舵状態に応じた路面反力を把握できる。
【００４３】
操舵側中間シャフト９の他端は、ユニバーサルジョイント１１を介してクラッチ入力軸１３の一端に連結してある。
クラッチ入力軸１３の他端は、クラッチ６を介してクラッチ出力シャフト１７の一端に同軸で対向しており、クラッチ６は、クラッチ入力軸１３とクラッチ出力シャフト１７との断続（締結及び遮断）を行う。
クラッチ出力シャフト１７の他端は、ユニバーサルジョイント１９を介して転舵側中間シャフト２１の一端に連結してある。
【００４４】
転舵側中間シャフト２１の他端は、ユニバーサルジョイント２３を介してピニオンシャフト２５の一端に連結してあり、ピニオンシャフト２５の他端は、ラック＆ピニオン式のステアリングギヤ２７に連結してある。なお、図示は省略するが、ステアリングギヤ２７の出力側となるラックの両端は、夫々、左右のタイロッドの一端に連結してあり、タイロッドの他端は、車輪に連結してある。以上により、トルク伝達経路は、複数のユニバーサルジョイント（７、１１、１９、２３）で連結されている。
【００４５】
したがって、クラッチ６を締結した状態では、ステアリングホイール３２を回転させると、ピニオン４６及びピニオンシャフト２５が回転する。ここで、ピニオン４６及びピニオンシャフト２５は、ステアリングシャフト４２、操舵側中間シャフト９、クラッチ入力軸１３、クラッチ出力シャフト１７及び転舵側中間シャフト２１を介して回転する。ピニオンシャフト２５の回転運動は、ステアリングギヤ２７によってラックの進退運動となり、ラックの進退に応じてタイロッドを押したり引いたりすることで、車輪が転舵される。
【００４６】
ステアリングシャフト４２には、反力モータ８を連結してあり、クラッチ６を遮断した状態で、反力モータ８を駆動すると、ステアリングシャフト４２に反力トルクが付与される。したがって、車輪を転舵したときに路面から受ける反力を検出又は推定し、検出又は推定した反力に応じて反力モータ８を駆動制御することで、運転者のステアリング操作に対して操作反力が付与される。
【００４７】
通常は、クラッチ６を遮断した状態で、転舵モータ３１を駆動制御すると共に、反力モータ８を駆動制御することで、ステア・バイ・ワイヤを実行し、所望のステアリング特性や旋回挙動特性を実現し、且つ良好な操作フィーリングを実現する。一方、システムに異常が生じた場合には、ステア・バイ・ワイヤを中止し、フェールセーフとしてクラッチ６を締結状態に戻すことで、機械的なバックアップを確保する。
【００４８】
ステアリングコラム５は、チルトピボット４１を介して揺動可能な状態で車体に支持してある。車体横方向から見て、ステアリングシャフト４２及び操舵側中間シャフト９間のユニバーサルジョイント７の中心位置と、チルトピボット４１の中心位置とは相違させたレイアウトとしている。
操舵側中間シャフト９、及び転舵側中間シャフト２１は、夫々、軸方向に伸縮可能に構成してある。
クラッチ６は、ブラケット４３を介してダッシュパネル４５に固定してある。
【００４９】
以上により、ユニバーサルジョイント７及びユニバーサルジョイント１１は、ステアリングホイール３２とクラッチ６との間を機械的に連結する操舵側ユニバーサルジョイントを形成する。また、ユニバーサルジョイント１９及びユニバーサルジョイント２３は、転舵輪２４とクラッチ６との間を機械的に連結する転舵側ユニバーサルジョイントを形成する。すなわち、トルク伝達経路は、ステアリングホイール３２とクラッチ６との間を機械的に連結する操舵側ユニバーサルジョイントと、転舵輪２４とクラッチ６との間を機械的に連結する転舵側ユニバーサルジョイントを備える。
【００５０】
（指令演算部５４の詳細な構成）
次に、図１から図３を参照しつつ、図４を用いて、指令演算部５４の詳細な構成について説明する。
図４は、指令演算部５４の構成を示すブロック図である。
図４中に示すように、指令演算部５４は、中立位置記憶部６０と、転舵モータ電流指令演算部６２と、クラッチ状態切り替え部６４を備える。これに加え、指令演算部５４は、操舵側クラッチ角算出部６６と、転舵側クラッチ角算出部６８と、クラッチ角偏差算出部７０と、クラッチ角偏差記憶部７２と、転舵角記憶部７４と、転舵角算出部７６と、ＥＰＳ制御ブロック７８を備える。
【００５１】
中立位置記憶部６０は、例えば、車両の製造時や、車両の出荷前に行なう調整工程等において、ステアリングホイール３２の操舵角と転舵輪２４の実転舵角を共に中立位置：０［°］へ調整した状態における、操舵角と転舵モータ回転角との関係を記憶する。なお、ステアリングホイール３２の操舵角と転舵輪２４の実転舵角を共に中立位置へ調整した状態における、操舵角と転舵モータ回転角との関係とは、操舵角に対する転舵モータ回転角の偏差（偏差角［ｄｅｇ］）である。本実施形態では、一例として、ステアリングホイール３２の操舵角と転舵輪２４の実転舵角を共に中立位置へ調整した状態における、操舵角と転舵モータ回転角との関係を、操舵角に対する転舵モータ回転角の偏差が０［°］とした場合を説明する。
【００５２】
また、中立位置記憶部６０は、転舵角算出部７６が算出した転舵輪２４の転舵角に応じて、記憶している操舵角と転舵モータ回転角との関係を補正（上書き）する処理を行う。この処理は、例えば、転舵角算出部７６が算出した転舵輪２４の転舵角が、右回り（車両を右旋回させる方向）へ１０［°］である場合、操舵角に対する転舵モータ回転角の偏差を、左回りへ１０［°］に補正（上書き）する処理である。
【００５３】
転舵モータ電流指令演算部６２は、中立位置記憶部６０が記憶している操舵角と転舵モータ回転角との関係と、操舵角センサ３４が検出した現在操舵角θＨと、車速センサ５０が検出した車速に基づき、転舵モータ電流指令を演算する。そして、演算した転舵モータ電流指令を含む情報信号を、転舵位置サーボ制御部３０へ出力する。
クラッチ状態切り替え部６４は、エンジンコントローラ５２からエンジンの状態を含む情報信号の入力を受ける。
【００５４】
そして、クラッチ状態切り替え部６４は、エンジンの状態を含む情報信号が、エンジン駆動の状態を含む場合、車両のイグニッションスイッチがオン状態であると判定し、クラッチ６を開放状態に切り替えるためのクラッチ電流指令を生成する。そして、生成したクラッチ電流指令を含む情報信号を、クラッチ角偏差算出部７０と、クラッチ角偏差記憶部７２及びクラッチ制御部５８へ出力する。なお、車両のイグニッションスイッチがオン状態であるとの判定は、エンジンの状態を含む情報信号がエンジン駆動の状態を含む場合に限定するものではない。この場合、運転者等によりイグニッションスイッチが操作されたことを検出すると、エンジンが停止していても、車両のイグニッションスイッチがオン状態であると判定してもよい。これは、以降の説明においても同様である。また、エンジンが停止していても、車両のイグニッションスイッチがオン状態であるとは、例えば、イグニッションスイッチの操作位置が、ＡＣＣ（アクセサリーポジション）となっている場合である。
【００５５】
また、クラッチ状態切り替え部６４は、エンジンの状態を含む情報信号が、エンジン停止の状態を含む場合、車両のイグニッションスイッチがオフ状態であると判定し、クラッチ６を連結状態に切り替えるためのクラッチ電流指令を生成する。そして、生成したクラッチ電流指令を含む情報信号を、操舵側クラッチ角算出部６６と、転舵側クラッチ角算出部６８と、クラッチ角偏差算出部７０と、クラッチ角偏差記憶部７２及びクラッチ制御部５８へ出力する。
【００５６】
操舵側クラッチ角算出部６６は、クラッチ状態切り替え部６４から、クラッチ電流指令を含む情報信号の入力を受ける。これに加え、操舵側クラッチ角算出部６６は、操舵角センサ３４から、ステアリングホイール３２の現在操舵角を含む情報信号の入力を受ける。さらに、操舵側クラッチ角算出部６６は、操舵トルクセンサ３６から、トルクセンサ値Ｖｔｓを含む情報信号の入力を受ける。
【００５７】
そして、操舵側クラッチ角算出部６６は、クラッチ６を連結状態へ切り替えると、操舵角センサ３４が検出した現在操舵角θＨに基づいて、トルク伝達経路のステアリングホイール３２側における回転角である操舵側クラッチ角を算出する。さらに、算出した操舵側クラッチ角を含む情報信号を、クラッチ角偏差算出部７０へ出力する。
ここで、本実施形態の操舵側クラッチ角算出部６６は、操舵角センサ３４が検出した現在操舵角が、操舵側ユニバーサルジョイントを介してクラッチ６へ伝達された回転角である操舵側出力角に基づいて、操舵側クラッチ角を算出する。なお、操舵側クラッチ角算出部６６が操舵側クラッチ角を算出する処理については、後述する。
【００５８】
転舵側クラッチ角算出部６８は、クラッチ状態切り替え部６４から、クラッチ電流指令を含む情報信号の入力を受ける。これに加え、転舵側クラッチ角算出部６８は、転舵モータ角度センサ１６から、転舵モータ回転角を含む情報信号の入力を受ける。さらに、転舵側クラッチ角算出部６８は、操舵トルクセンサ３６から、トルクセンサ値Ｖｔｓを含む情報信号の入力を受ける。
【００５９】
そして、転舵側クラッチ角算出部６８は、クラッチ６を連結状態へ切り替えると、転舵モータ角度センサ１６が検出した転舵モータ回転角に基づいて、トルク伝達経路の転舵輪２４側における回転角である転舵側クラッチ角を算出する。さらに、算出した転舵側クラッチ角を含む情報信号を、クラッチ角偏差算出部７０へ出力する。なお、転舵側クラッチ角算出部６８が転舵側クラッチ角を算出する処理については、後述する。
ここで、本実施形態の転舵側クラッチ角算出部６８は、転舵モータ角度センサ１６が検出した転舵モータ回転角が、転舵側ユニバーサルジョイントを介してクラッチ６へ伝達された回転角である転舵側逆出力角に基づいて、操舵側クラッチ角を算出する。なお、操舵側クラッチ角算出部６６が操舵側クラッチ角を算出する処理については、後述する。
【００６０】
クラッチ角偏差算出部７０は、クラッチ状態切り替え部６４から、クラッチ電流指令を含む情報信号の入力を受ける。これに加え、クラッチ角偏差算出部７０は、操舵側クラッチ角算出部６６から、操舵側クラッチ角を含む情報信号の入力を受ける。さらに、クラッチ角偏差算出部７０は、転舵側クラッチ角算出部６８から、転舵側クラッチ角を含む情報信号の入力を受ける。
そして、クラッチ角偏差算出部７０は、操舵側クラッチ角と転舵側クラッチ角との偏差であるクラッチ角偏差を算出し、この算出したクラッチ角偏差を含む情報信号を、クラッチ角偏差記憶部７２及び転舵角算出部７６へ出力する。なお、クラッチ角偏差算出部７０がクラッチ角偏差を算出する具体的な処理については、後述する。
【００６１】
クラッチ角偏差記憶部７２は、クラッチ状態切り替え部６４から、クラッチ電流指令を含む情報信号の入力を受ける。これに加え、クラッチ角偏差記憶部７２は、クラッチ角偏差算出部７０から、クラッチ角偏差を含む情報信号の入力を受ける。
そして、クラッチ角偏差記憶部７２は、クラッチ６を連結状態へ切り替えた時点の、クラッチ角偏差を記憶する。また、クラッチ角偏差記憶部７２は、記憶しているクラッチ角偏差を更新（上書き）すると、クラッチ角偏差を更新した内容を含む情報信号を、トルク比マップ記憶部８４へ出力する。
【００６２】
転舵角記憶部７４は、クラッチ状態切り替え部６４から、クラッチ電流指令を含む情報信号の入力を受ける。これに加え、転舵角記憶部７４は、転舵モータ角度センサ１６から、転舵モータ回転角を含む情報信号の入力を受ける。
そして、転舵角記憶部７４は、イグニッションスイッチがオフ状態となった時点の、転舵輪２４の転舵角を記憶する。
【００６３】
転舵角算出部７６は、クラッチ状態切り替え部６４から、クラッチ電流指令を含む情報信号の入力を受ける。これに加え、転舵角算出部７６は、クラッチ角偏差算出部７０から、クラッチ角偏差を含む情報信号の入力を受ける。また、転舵角算出部７６は、操舵トルクセンサ３６から、トルクセンサ値Ｖｔｓを含む情報信号の入力を受ける。
そして、転舵角算出部７６は、イグニッションスイッチがオン状態となると、クラッチ６を開放状態へ切り替える前に、クラッチ角偏差算出部７０が算出したクラッチ角偏差とユニバーサルジョイント変化角に基づいて、転舵輪２４の転舵角を算出する。さらに、算出した転舵輪２４の転舵角を含む情報信号を、転舵位置サーボ制御部３０へ出力する。
【００６４】
ここで、上記のユニバーサルジョイント変化角とは、操舵角センサ３４が検出した現在操舵角に基づき、トルク伝達経路上で、予め転舵角算出部７６が記憶したモデルを用いて算出した角度である。なお、転舵角算出部７６が転舵輪２４の転舵角を算出する処理と、転舵角算出部７６が記憶したモデルについては、後述する。
ここで、本実施形態では、一例として、転舵角算出部７６の構成を、イグニッションスイッチがオフ状態である間に、操舵角センサ３４が検出した現在操舵角が変化しない場合、転舵角記憶部７４が記憶した転舵角を、転舵輪２４の転舵角として算出する構成とする。なお、転舵角記憶部７４が記憶した転舵角は、イグニッションスイッチがオフ状態である間に、操舵角センサ３４が検出した現在操舵角が変化しない場合に、転舵角記憶部７４から取得する。
【００６５】
ＥＰＳ制御ブロック７８は、操舵角センサ３４から、ステアリングホイール３２の現在操舵角を含む情報信号の入力を受ける。また、ＥＰＳ制御ブロック７８は、転舵モータ角度センサ１６から、転舵モータ回転角を含む情報信号の入力を受ける。これに加え、ＥＰＳ制御ブロック７８は、車速センサ５０から、車速を含む情報信号の入力を受ける。さらに、ＥＰＳ制御ブロック７８は、ピニオン軸トルクセンサ４６ｔから、トルクセンサ値Ｖｔｐを含む情報信号の入力を受ける。
【００６６】
そして、ＥＰＳ制御ブロック７８は、上述したＥＰＳ制御を行なう際に、開放状態のクラッチ６を連結状態へ切り替えると、入力を受けた各情報信号に基づいて、アシストトルクに応じた転舵モータ電流指令を演算する。そして、演算した転舵モータ電流指令を含む情報信号を、転舵位置サーボ制御部３０へ出力する。
ここで、転舵モータ電流指令の演算は、操舵角センサ３４が検出した現在操舵角θＨと、転舵モータ角度センサ１６が検出した転舵モータ回転角と、車速センサ５０が検出した車速と、転舵モータトルクセンサ２ｔが検出したトルクセンサ値Ｖｔｍに基づいて行なう。
なお、ＥＰＳ制御ブロック７８の詳細な構成については、後述する。
【００６７】
（クラッチ角偏差算出部７０がクラッチ角偏差を算出する処理）
以下、図１から図４を参照しつつ、図５及び図６を用いて、クラッチ角偏差算出部７０がクラッチ角偏差を算出する具体的な処理について説明する。
図５は、クラッチ角偏差算出部７０がクラッチ角偏差を算出する処理を示すブロック図である。
クラッチ角偏差を算出する処理では、操舵側クラッチ角算出部６６により操舵側クラッチ角θｃｌ＿ｉｎを算出し、転舵側クラッチ角算出部６８により転舵側クラッチ角θｃｌ＿ｏｕｔを算出する。そして、転舵側クラッチ角θｃｌ＿ｏｕｔから操舵側クラッチ角θｃｌ＿ｉｎを減算した値を、クラッチ角偏差ｄθＣＬとして算出（図５中に示す「ｄθＣＬ＝θｃｌ＿ｏｕｔ−θｃｌ＿ｉｎ」）する。
【００６８】
以下、操舵側クラッチ角θｃｌ＿ｉｎを算出する処理と、転舵側クラッチ角θｃｌ＿ｏｕｔを算出する処理を具体的に説明する。
・操舵側クラッチ角算出部６６が操舵側クラッチ角を算出する処理
操舵側クラッチ角算出部６６が操舵側クラッチ角を算出する処理では、まず、操舵トルクセンサ３６から入力を受けたトルクセンサ値Ｖｔｓを含む情報信号を参照する。そして、トルクセンサ値Ｖｔｓが、予め設定した操舵側クラッチ角算出用トルク閾値の範囲内であるか否かを判定する。ここで、操舵側クラッチ角算出用トルク閾値は、操舵側クラッチ角を算出する処理を行うために適切なトルクとなる値に設定し、操舵側クラッチ角算出部６６に記憶する。したがって、トルクセンサ値Ｖｔｓが操舵側クラッチ角算出用トルク閾値の範囲内であれば、運転者がステアリングホイール３２に加えている操舵トルクが、操舵側クラッチ角を算出する処理を行うために適切なトルクである。
【００６９】
そして、トルクセンサ値Ｖｔｓが操舵側クラッチ角算出用トルク閾値の範囲内であると判定すると、以下の処理を行う。
イグニッションスイッチがオフ状態となると、操舵角センサ３４が検出した現在操舵角を、ユニバーサルジョイント７の入力角ｔａｎθＩｎとして以下の式（１）に入力し、ユニバーサルジョイント７の出力角θｏｕｔを算出する。なお、以下の式（１）は、各ユニバーサルジョイントの出力角を算出するためのモデルとして用いることが可能な、ユニバーサルジョイント出力角算出モデルを示す式である。また、ユニバーサルジョイント出力角算出モデルが成立する原理については、後述する。
ここで、ユニバーサルジョイント出力角算出モデルは、例えば、車両の出荷前に行なう調整工程等において設定し、操舵側クラッチ角算出部６６及び転舵角算出部７６に記憶させておく。
【００７０】
【数１】
2014133531.tif 000003
【００７１】
ここで、上記の式（１）中に示す「α」は、予め設定した平面（例えば、上下方向及び車両前後方向に平行な平面）への平面視における、各ユニバーサルジョイント（７、１１、１９、２３）の入力側の軸と出力側の軸がなす角度である。
したがって、ユニバーサルジョイント出力角算出モデルは、操舵輪側入力角と転舵輪側出力角の関係を示すモデル式となる。ここで、操舵輪側入力角は、ユニバーサルジョイントへステアリングホイール３２側から入力した角度であり、転舵輪側出力角は、ユニバーサルジョイントを介して操舵輪側入力角を転舵輪２４側へ出力した角度である。
【００７２】
すなわち、ユニバーサルジョイント７の出力角θｏｕｔを算出する際には、上記の式（１）中に示す「α」が、ユニバーサルジョイント７の入力側の軸（ステアリングシャフト４２）とユニバーサルジョイント７の出力側の軸（操舵側中間シャフト９）がなす角度となる。なお、以降の説明では、ステアリングシャフト４２と操舵側中間シャフト９とのなす角度αを、ユニバーサルジョイント７のジョイント角αと規定し、「ジョイント角α１」と記載する場合がある。
【００７３】
ジョイント角α１は、例えば、現在操舵角θＨと、予め生成した波形マップを用いて、車両の出荷前に行なう調整工程等において算出し、操舵側クラッチ角算出部６６、転舵側クラッチ角算出部６８及び転舵角算出部７６に記憶する。なお、ジョイント角α１の算出及び記憶は、車両の出荷後は、例えば、整備工場等において行なってもよい。
また、ジョイント角α１の算出は、ステアリングホイール３２の現在操舵角と転舵輪２４の実転舵角とを、互いに対応する角度に調整した状態（例えば、現在操舵角及び実転舵角を、共に中立位置：０［°］に調整した状態）で行なう。
【００７４】
ここで、波形マップは、図６中に示すマップであり、例えば、クラッチ角偏差算出部７０に記憶させておく。なお、図６は、波形マップを示す図であり、車両の諸元等に因らず、数式等により規定されるマップである。
また、図６中では、横軸に操舵角（図中では、「操舵角［ｄｅｇ］」と記載する）を示し、縦軸にピニオン４６の角度（ピニオン角）と操舵角との偏差（図中では、「偏差角［ｄｅｇ］」と記載する）を示す。
【００７５】
ここで、各ユニバーサルジョイントには不等速性が有るため、図６中に示すように、例えば、操舵角が０［ｄｅｇ］の状態等を除き、操舵角とピニオン角との関係は一定の関係とはならず、ピニオン角と操舵角との偏差は、操舵角に応じて変化する。
そして、ジョイント角α１を算出する際には、例えば、ステアリングホイール３２の操舵角を変化させて、波形マップ中の偏差角［ｄｅｇ］を変化させる。この場合、操舵角を変化させて偏差角［ｄｅｇ］の上限値及び下限値を検出し、これらの検出した上限値及び下限値に基づいて、ジョイント角α１を算出する。
【００７６】
また、上記の式（１）中に示す「θｏｆｆｓｅｔ」は、トルク伝達経路における、各ユニバーサルジョイント（７、１１、１９、２３）の、入力側の軸に対する出力側の軸のねじれ角を示す位相角である。
すなわち、ユニバーサルジョイント７の位相角θｏｆｆｓｅｔを算出する際には、上記の式（１）中に示す「θｏｆｆｓｅｔ」が、ステアリングシャフト４２に対する操舵側中間シャフト９のねじれ角を示す位相角となる。なお、以降の説明では、ステアリングシャフト４２に対する操舵側中間シャフト９のねじれ角を示す位相角を、ユニバーサルジョイント７の位相角θｏｆｆｓｅｔと規定し、「位相角θｏｆｆｓｅｔ１」と記載する場合がある。
【００７７】
位相角θｏｆｆｓｅｔは、車両の設計事項であるため、例えば、車両の製造時等において、操舵側クラッチ角算出部６６、転舵側クラッチ角算出部６８及び転舵角算出部７６に記憶する。なお、位相角θｏｆｆｓｅｔは、例えば、車両の出荷前に検出及び記憶してもよい。また、位相角θｏｆｆｓｅｔの検出及び記憶は、車両の出荷後は、例えば、整備工場等において行なってもよい。
また、位相角θｏｆｆｓｅｔを検出する際には、ステアリングホイール３２の現在操舵角と転舵輪２４の実転舵角とを、互いに対応する角度に調整した状態（例えば、現在操舵角及び実転舵角を、共に中立位置：０［°］に調整した状態）とする。
【００７８】
次に、上記のように算出したユニバーサルジョイント７の出力角θｏｕｔを、ユニバーサルジョイント１１の入力角ｔａｎθＩｎとして上記の式（１）に入力し、ユニバーサルジョイント１１の出力角θｏｕｔを算出する。そして、ユニバーサルジョイント１１の出力角θｏｕｔを、操舵側クラッチ角θｃｌ＿ｉｎとして算出する。
ここで、ユニバーサルジョイント１１の出力角θｏｕｔを算出する際には、上記の式（１）中に示す「α」が、ユニバーサルジョイント１１の入力側の軸（操舵側中間シャフト９）とユニバーサルジョイント１１の出力側の軸（クラッチ入力軸１３）がなす角度となる。なお、以降の説明では、操舵側中間シャフト９とクラッチ入力軸１３とのなす角度αを、ユニバーサルジョイント１１のジョイント角αと規定し、「ジョイント角α２」と記載する場合がある。
【００７９】
また、ユニバーサルジョイント１１の出力角θｏｕｔを算出する際には、上記の式（１）中に示す「θｏｆｆｓｅｔ」が、操舵側中間シャフト９に対するクラッチ入力軸１３のねじれ角を示す位相角となる。なお、以降の説明では、操舵側中間シャフト９に対するクラッチ入力軸１３のねじれ角を示す位相角を、ユニバーサルジョイント１１の位相角θｏｆｆｓｅｔと規定し、「位相角θｏｆｆｓｅｔ２」と記載する場合がある。
以上により、操舵側クラッチ角算出部６６は、予め設定した操舵側ユニバーサルジョイント出力角算出モデルに、操舵角センサ３４が検出した現在操舵角を入力して、操舵側クラッチ角θｃｌ＿ｉｎを算出する。
【００８０】
ここで、操舵側ユニバーサルジョイント出力角算出モデルは、以下に示す二つのモデル式（Ｅ１、Ｅ２）である。
Ｅ１．上記の式（１）に、「α」としてジョイント角α１を入力し、「θｏｆｆｓｅｔ」として位相角θｏｆｆｓｅｔ１を入力したモデル式
Ｅ２．上記の式（１）に、「α」としてジョイント角α２を入力し、「θｏｆｆｓｅｔ」として位相角θｏｆｆｓｅｔ２を入力したモデル式
【００８１】
・転舵側クラッチ角算出部６８が転舵側クラッチ角を算出する処理
転舵側クラッチ角算出部６８が転舵側クラッチ角を算出する処理では、まず、操舵トルクセンサ３６から入力を受けたトルクセンサ値Ｖｔｓを含む情報信号を参照する。そして、トルクセンサ値Ｖｔｓが、予め設定した転舵側クラッチ角算出用トルク閾値の範囲内であるか否かを判定する。ここで、転舵側クラッチ角算出用トルク閾値は、転舵側クラッチ角を算出する処理を行うために適切なトルクとなる値に設定し、転舵側クラッチ角算出部６８に記憶する。したがって、トルクセンサ値Ｖｔｓが転舵側クラッチ角算出用トルク閾値の範囲内であれば、運転者がステアリングホイール３２に加えている操舵トルクが、転舵側クラッチ角を算出する処理を行うために適切なトルクである。
【００８２】
そして、トルクセンサ値Ｖｔｓが転舵側クラッチ角算出用トルク閾値の範囲内であると判定すると、以下の処理を行う。
イグニッションスイッチがオフ状態となった時点における転舵モータ回転角を、ユニバーサルジョイント２３の逆入力角ｔａｎθＩｎとして以下の式（２）に入力し、ユニバーサルジョイント２３の逆出力角θｏｕｔを算出する。なお、以下の式（２）は、各ユニバーサルジョイントの逆出力角を算出するためのモデルとして用いることが可能な、ユニバーサルジョイント逆出力角算出モデルを示す式である。
ここで、ユニバーサルジョイント逆出力角算出モデルは、例えば、車両の出荷前に行なう調整工程等において設定し、転舵側クラッチ角算出部６８に記憶させておく。
【００８３】
【数２】
2014133531.tif 000004
【００８４】
ここで、ユニバーサルジョイント２３の逆出力角θｏｕｔを算出する際には、上記の式（２）中に示す「α」が、ユニバーサルジョイント２３の入力側の軸（転舵側中間シャフト２１）とユニバーサルジョイント２３の出力側の軸（ピニオンシャフト２５）がなす角度となる。なお、以降の説明では、転舵側中間シャフト２１とピニオンシャフト２５とのなす角度αを、ユニバーサルジョイント２３のジョイント角αと規定し、「ジョイント角α４」と記載する場合がある。
【００８５】
したがって、ユニバーサルジョイント逆出力角算出モデルは、転舵輪側逆入力角と操舵輪側逆出力角の関係を示すモデル式となる。ここで、転舵輪側逆入力角は、転舵側ユニバーサルジョイントへ転舵輪２４側から入力した角度であり、操舵輪側逆出力角は、転舵側ユニバーサルジョイントを介して転舵輪側逆入力角をステアリングホイール３２側へ出力した角度である。
【００８６】
また、ユニバーサルジョイント２３の逆出力角θｏｕｔを算出する際には、上記の式（２）中に示す「θｏｆｆｓｅｔ」が、転舵側中間シャフト２１に対するピニオンシャフト２５のねじれ角を示す位相角となる。なお、以降の説明では、転舵側中間シャフト２１に対するピニオンシャフト２５のねじれ角を示す位相角を、ユニバーサルジョイント２３の位相角θｏｆｆｓｅｔと規定し、「位相角θｏｆｆｓｅｔ４」と記載する場合がある。
【００８７】
次に、上記のように算出したユニバーサルジョイント２３の逆出力角θｏｕｔを、ユニバーサルジョイント１９の逆入力角ｔａｎθＩｎとして上記の式（２）に入力し、ユニバーサルジョイント１９の逆出力角θｏｕｔを算出する。そして、ユニバーサルジョイント１９の逆出力角θｏｕｔを、転舵側クラッチ角θｃｌ＿ｏｕｔとして算出する。
ここで、ユニバーサルジョイント１９の逆出力角θｏｕｔを算出する際には、上記の式（２）中に示す「α」が、ユニバーサルジョイント１９の入力側の軸とユニバーサルジョイント１９の出力側の軸がなす角度となる。ここで、ユニバーサルジョイント１９の入力側の軸は、クラッチ出力シャフト１７であり、ユニバーサルジョイント１９の出力側の軸は、転舵側中間シャフト２１である。なお、以降の説明では、クラッチ出力シャフト１７と転舵側中間シャフト２１とのなす角度αを、ユニバーサルジョイント１９のジョイント角αと規定し、「ジョイント角α３」と記載する場合がある。
【００８８】
また、ユニバーサルジョイント１９の逆出力角θｏｕｔを算出する際には、上記の式（２）中に示す「θｏｆｆｓｅｔ」が、クラッチ出力シャフト１７に対する転舵側中間シャフト２１のねじれ角を示す位相角となる。なお、以降の説明では、クラッチ出力シャフト１７に対する転舵側中間シャフト２１のねじれ角を示す位相角を、ユニバーサルジョイント１９の位相角θｏｆｆｓｅｔと規定し、「位相角θｏｆｆｓｅｔ３」と記載する場合がある。
【００８９】
以上により、転舵側クラッチ角算出部６８は、予め設定したユニバーサルジョイント逆出力角算出モデルに、転舵モータ角度センサ１６が検出した転舵モータ回転角を入力して、転舵側クラッチ角θｃｌ＿ｏｕｔを算出する。
なお、上記の説明では、式（１）及び（２）を用いて処理を行ったが、これに限定するものではない。すなわち、例えば、現在操舵角と操舵側クラッチ角θｃｌ＿ｉｎとの関係を示すマップと、転舵モータ回転角と転舵側クラッチ角θｃｌ＿ｏｕｔとの関係を示すマップを用いて処理を行ってもよい。
【００９０】
（転舵角算出部７６が転舵輪２４の転舵角を算出する処理）
以下、図１から図６を参照しつつ、図７を用いて、転舵角算出部７６が転舵輪２４の転舵角を算出する具体的な処理について説明する。
図７は、転舵角算出部７６が転舵輪２４の転舵角を算出する処理を示すブロック図である。
転舵輪２４の転舵角を算出する処理では、まず、操舵トルクセンサ３６から入力を受けたトルクセンサ値Ｖｔｓを含む情報信号を参照する。そして、トルクセンサ値Ｖｔｓが、予め設定した転舵角算出用トルク閾値の範囲内であるか否かを判定する。ここで、転舵角算出用トルク閾値は、転舵角を算出する処理を行うために適切なトルクとなる値に設定し、転舵角算出部７６に記憶する。したがって、トルクセンサ値Ｖｔｓが転舵角算出用トルク閾値の範囲内であれば、運転者がステアリングホイール３２に加えている操舵トルクが、転舵角を算出する処理を行うために適切なトルクである。
【００９１】
そして、トルクセンサ値Ｖｔｓが転舵角算出用トルク閾値の範囲内であると判定すると、以下の処理を行う。
イグニッションスイッチをオン状態とした時点において操舵角センサ３４が検出した現在操舵角を、ユニバーサルジョイント７の入力角ｔａｎθＩｎとして上記の式（１）に入力する。これにより、ユニバーサルジョイント７の出力角θｏｕｔを算出する。
【００９２】
次に、上記のように算出したユニバーサルジョイント７の出力角θｏｕｔを、ユニバーサルジョイント１１の入力角ｔａｎθＩｎとして上記の式（１）に入力し、ユニバーサルジョイント１１の出力角θｏｕｔを算出する。そして、ユニバーサルジョイント１１の出力角θｏｕｔを、操舵側クラッチ角θｃｌ＿ｉｎとして算出する。
ここで、転舵輪２４の転舵角を算出する処理では、クラッチ角偏差記憶部７２が記憶しているクラッチ角偏差ｄθＣＬに、上記のように算出した操舵側クラッチ角θｃｌ＿ｉｎを加算する。これにより、転舵角算出用転舵側クラッチ角Ｐθｃｌ＿ｏｕｔを算出（図７中に示す「Ｐθｃｌ＿ｏｕｔ＝θｃｌ＿ｉｎ＋ｄθＣＬ」）する。すなわち、転舵角算出部７６は、転舵輪２４の転舵角を算出する際に、クラッチ角偏差記憶部７２から記憶しているクラッチ角偏差ｄθＣＬの情報を取得する。
【００９３】
そして、上記のように算出した転舵角算出用転舵側クラッチ角Ｐθｃｌ＿ｏｕｔを、ユニバーサルジョイント１９の入力角ｔａｎθＩｎとして上記の式（１）に入力し、ユニバーサルジョイント１９の出力角θｏｕｔを算出する。
次に、上記のように算出したユニバーサルジョイント１９の出力角θｏｕｔを、ユニバーサルジョイント２３の入力角ｔａｎθＩｎとして上記の式（１）に入力し、ユニバーサルジョイント２３の出力角θｏｕｔを算出する。
【００９４】
ユニバーサルジョイント２３の出力角θｏｕｔを算出した後、この算出したユニバーサルジョイント２３の出力角θｏｕｔから、各ユニバーサルジョイント（７、１１、１９、２３）のオフセット成分を減算する。これにより、ユニバーサルジョイント２３の出力角θｏｕｔから各ユニバーサルジョイント（７、１１、１９、２３）のオフセット成分による影響を除去して、転舵輪２４の転舵角を算出する。
【００９５】
ここで、各ユニバーサルジョイント（７、１１、１９、２３）のオフセット成分は、以下の式（３）で示される。なお、以下の式（３）は、各ユニバーサルジョイントのオフセット成分を算出するためのモデルとして用いることが可能な、ユニバーサルジョイントオフセット成分算出モデルを示す式である。また、ユニバーサルジョイントオフセット成分算出モデルが成立する原理については、後述する。
ここで、ユニバーサルジョイントオフセット成分算出モデルは、例えば、車両の出荷前に行なう調整工程等において設定し、転舵角算出部７６に記憶させておく。
【００９６】
【数３】
2014133531.tif 000005
【００９７】
したがって、ユニバーサルジョイントオフセット成分算出モデルは、各ユニバーサルジョイント（７、１１、１９、２３）の入力軸に対する出力軸のねじれ角を示す位相角を示すモデル式となる。
これに加え、転舵輪２４の転舵角を算出する処理では、各ユニバーサルジョイント（７、１１、１９、２３）のオフセット成分を除算したユニバーサルジョイント２３の出力角θｏｕｔを、上述したトルクセンサ値Ｖｔｐに基づいて補正する。
【００９８】
ここで、ユニバーサルジョイント２３の出力角θｏｕｔの補正には、トルクセンサ値Ｖｔｐに基づく各シャフト及び各ユニバーサルジョイント（７、１１、１９、２３）のねじれ角を用いる。なお、各シャフトとは、ステアリングシャフト４２、操舵側中間シャフト９、クラッチ出力シャフト１７、転舵側中間シャフト２１、ピニオンシャフト２５である。
【００９９】
また、各シャフト及び各ユニバーサルジョイントのねじれ角は、以下の式（４）で示される。なお、以下の式（４）は、転舵輪２４の転舵角を算出する際に、各シャフト及び各ユニバーサルジョイントのねじれ角による補正を行うためのモデルとして用いることが可能な、トルクセンサモデルを示す式である。
ねじれ角＝トルクセンサ値Ｖｔｐ［Ｎｍ］／各シャフト及び各ユニバーサルジョイントのねじり剛性［Ｎｍ／ｒａｄ］  …  （４）
したがって、トルクセンサモデルは、ピニオン軸トルクセンサ４６ｔが検出したピニオン軸トルクに基づく操舵トルクと、各ユニバーサルジョイントのねじり剛性と、各ユニバーサルジョイントの入力軸及び出力軸のねじり剛性との関係を示すモデル式となる。
【０１００】
ここで、トルクセンサモデルは、例えば、車両の出荷前に行なう調整工程等において設定し、転舵角算出部７６に記憶させておく。
なお、本実施形態では、一例として、ユニバーサルジョイント２３の出力角θｏｕｔを、各シャフト及び各ユニバーサルジョイントのねじれ角を用いて補正する際に、ユニバーサルジョイント２３の出力角θｏｕｔにねじれ角を加算する場合を説明する。
【０１０１】
以上により、転舵角算出部７６は、転舵角算出用転舵側クラッチ角Ｐθｃｌ＿ｏｕｔが転舵側ユニバーサルジョイントを介して変化した変化角に基づいて、転舵輪２４の転舵角を算出する。
また、本実施形態の転舵角算出部７６は、予め設定した転舵側ユニバーサルジョイント出力角算出モデルに転舵角算出用転舵側クラッチ角Ｐθｃｌ＿ｏｕｔを入力した値に基づいて、転舵輪２４の転舵角を算出する。
【０１０２】
ここで、転舵側ユニバーサルジョイント出力角算出モデルは、以下に示す二つのモデル式（Ｅ３、Ｅ４）である。
Ｅ３．上記の式（１）に、「α」としてジョイント角α３を入力し、「θｏｆｆｓｅｔ」として位相角θｏｆｆｓｅｔ３を入力したモデル式
Ｅ４．上記の式（１）に、「α」としてジョイント角α４を入力し、「θｏｆｆｓｅｔ」として位相角θｏｆｆｓｅｔ４を入力したモデル式
したがって、操舵側ユニバーサルジョイント出力角算出モデルと、転舵側ユニバーサルジョイント出力角算出モデルは、上記の式（１）で示すユニバーサルジョイント出力角算出モデルに基づくモデル式である。
【０１０３】
また、本実施形態の転舵角算出部７６は、転舵角算出用転舵側クラッチ角Ｐθｃｌ＿ｏｕｔが転舵側ユニバーサルジョイントを介して変化した変化角から、各ユニバーサルジョイントのオフセット成分を減算した値に基づいて、転舵輪２４の転舵角を算出する。
また、本実施形態の転舵角算出部７６は、転舵角算出用転舵側クラッチ角Ｐθｃｌ＿ｏｕｔが転舵側ユニバーサルジョイントを介して変化した変化角を、トルクセンサモデルを用いて算出したトルク伝達経路のねじれ角を用いて補正する。そして、この補正した値に基づいて、転舵輪２４の転舵角を算出する。
【０１０４】
（ＥＰＳ制御ブロック７８の詳細な構成）
以下、図１から図７を参照しつつ、図８及び図９を用いて、ＥＰＳ制御ブロック７８の詳細な構成について説明する。
図８中に示すように、ＥＰＳ制御ブロック７８は、トルク比推定部８０と、トルク比マップ生成部８２と、トルク比マップ記憶部８４と、アシストトルク算出部８６を備える。なお、図８は、ＥＰＳ制御ブロック７８の構成を示すブロック図である。
【０１０５】
トルク比推定部８０は、ステアリングホイール３２の現在操舵角を含む情報信号と、転舵モータ回転角を含む情報信号と、トルクセンサ値Ｖｔｐを含む情報信号の入力を受ける。
そして、トルク比推定部８０は、入力を受けた各情報信号に基づいて、トルク伝達経路に入力された操舵角と、入力された操舵角に基づきトルク伝達経路から出力される出力角との比に基づくパラメータである入出力トルク比を演算する。そして、演算した入出力トルク比を含む情報信号を、トルク比マップ生成部８２及びアシストトルク算出部８６へ出力する。なお、トルク比推定部８０が入出力トルク比を演算する処理については、後述する。
【０１０６】
トルク比マップ生成部８２は、ステアリングホイール３２の現在操舵角を含む情報信号の入力を受ける。これに加え、トルク比マップ生成部８２は、トルク比推定部８０から、入出力トルク比を含む情報信号の入力を受ける。
そして、トルク比マップ生成部８２は、トルク伝達経路に入力された現在操舵角と、現在操舵角に対応する入出力トルク比との関係を示す入出力トルク比マップを生成する。
【０１０７】
具体的には、現在操舵角が０［°］〜１８０［°］まで変化する間、すなわち、現在操舵角が１８０度の変化幅で変化する間における、現在操舵角に対応する入出力トルク比を検出する。そして、現在操舵角が０［°］〜１８０［°］まで変化する間における入出力トルク比の変動を算出し、この算出した入出力トルク比の変動と現在操舵角とを対応させて、入出力トルク比マップを生成する。
【０１０８】
ここで、入出力トルク比マップは、図９中に示すように、横軸に現在操舵角（図中では、「操舵角」と記載する）を示し、縦軸に入出力トルク比（図中では、「トルク比」と記載する）を示すマップである。なお、図９は、入出力トルク比マップを示す図である。
また、図９中に示すように、入出力トルク比マップは、現在操舵角が０［°］〜１８０［°］まで変化する間で、入出力トルク比の変化が一周期となるマップである。すなわち、現在操舵角に対する入出力トルク比は、現在操舵角が０［°］〜１８０［°］まで変化する間で一周期分の変動を生じる。
【０１０９】
また、入出力トルク比マップの生成は、例えば、車両の出荷前に行なう処理や、車両の出荷後に行なう処理で行う。
トルク比マップ記憶部８４は、トルク比マップ生成部８２から、入出力トルク比マップを含む情報信号の入力を受ける。これに加え、トルク比マップ記憶部８４は、クラッチ角偏差記憶部７２から、クラッチ角偏差を更新した内容を含む情報信号の入力を受ける。
そして、例えば、車両の出荷前に行なう調整工程時等、入出力トルク比マップを記憶していない状態では、トルク比マップ生成部８２から入力を受けた情報信号に基づいて、入出力トルク比マップを記憶する。
【０１１０】
また、トルク比マップ記憶部８４は、クラッチ角偏差を更新した内容を含む情報信号の入力を受けると、トルク比マップ生成部８２から入力を受けた情報信号に基づいて、記憶している入出力トルク比マップを更新する。
すなわち、トルク比マップ記憶部８４は、クラッチ角偏差算出部７０が算出したクラッチ角偏差ｄθＣＬが変化すると、記憶しているトルク比マップを、変化したクラッチ角偏差ｄθＣＬに対応する入出力トルク比マップに変更する。
【０１１１】
アシストトルク算出部８６は、ステアリングホイール３２の現在操舵角を含む情報信号と、転舵モータ回転角を含む情報信号と、トルクセンサ値Ｖｔｐを含む情報信号と、車速を含む情報信号の入力を受ける。これに加え、アシストトルク算出部８６は、トルク比推定部８０から、入出力トルク比を含む情報信号の入力を受ける。さらに、アシストトルク算出部８６は、トルク比マップ記憶部８４から、記憶している入出力トルク比マップを含む情報を取得する。
【０１１２】
そして、アシストトルク算出部８６は、入力を受けた各情報信号と、トルク比マップ記憶部８４が記憶している入出力トルク比マップに基づいて、アシストトルクの指令値を算出する。そして、算出したアシストトルクの指令値を含む情報信号（図中では、「アシストトルク指令値」と示す）を、転舵モータ制御部４へ出力する。
ここで、アシストトルクは、ＥＰＳ制御中に、ステアリングホイール３２の操舵状態に応じて、転舵輪２４の転舵を転舵モータ２により補助（アシスト）するためのトルクである。
【０１１３】
また、アシストトルクの指令値を算出する際には、トルク比推定部８０から入力を受けた情報信号が含む入出力トルク比と、トルク比マップ記憶部８４が記憶している入出力トルク比マップのうち、少なくとも一方を用いる。
すなわち、アシストトルク算出部８６は、トルクセンサ値Ｖｔｐと、トルク比推定部８０が演算した入出力トルク比及びトルク比マップ記憶部８４が記憶している入出力トルク比マップのうち、少なくとも一方に基づいて、アシストトルクの指令値を算出する。
また、本実施形態のアシストトルク算出部８６は、トルクセンサ値Ｖｔｐをトルク比推定部８０が演算した入出力トルク比により補正して、アシストトルクの指令値を算出する。
【０１１４】
（ユニバーサルジョイント出力角算出モデルが成立する原理）
以下、図１から図９を参照しつつ、図１０から図１２を用いて、ユニバーサルジョイント出力角算出モデルが成立する原理について説明する。
図１０は、単体のユニバーサルジョイントが有する回転軸と、回転軸周りの回転運動との関係を示す図である。なお、図１０中には、説明のために、ステアリングホイール３２を模式的に示している。すなわち、図１０中に示す単体のユニバーサルジョイントは、ユニバーサルジョイント７を示す。
【０１１５】
図１０中に示すように、ユニバーサルジョイントは、三本の回転軸（ｘ軸、ｙ軸、ｚ軸）を有しており、各回転軸周りの回転行列Ｒは、それぞれ、以下の式（５）〜（７）で示される。なお、式（５）は、ｘ軸周りの回転行列Ｒ（ｘ，θ）を示す式であり、式（６）は、ｙ軸周りの回転行列Ｒ（ｙ，θ）を示す式であり、式（７）は、ｚ軸周りの回転行列Ｒ（ｚ，θ）を示す式である。
【０１１６】
【数４】
2014133531.tif 000006
【０１１７】
そして、上記の式（５）〜（７）中に示す各回転軸周りの回転行列Ｒ（ｘ，θ）、Ｒ（ｙ，θ）、Ｒ（ｚ，θ）は、以下の式（８）に示すように、一つの回転行列Ｒに変換することが可能である。
【０１１８】
【数５】
2014133531.tif 000007
【０１１９】
また、図１１中に示すように、入力側の軸の回転を図１０中に示すθ０から記号「φ」で置き換え、ｚ軸を基準とした出力側の軸の傾斜角を記号「θｚ」で規定し、出力側の軸の回転角（以降の説明では、「出力角」と記載する場合がある）を記号「Ψ」で規定する。これにより、ユニバーサルジョイントにおける姿勢角の定義は、以下の式（９）〜（１１）で示される。なお、図１１は、ユニバーサルジョイントにおける入力側の軸と出力側の軸との関係を示す図である。また、図１１中には、説明のために、入力側の軸から出力側の軸への力の流れを、直線の矢印で示している。
【０１２０】
【数６】
2014133531.tif 000008
【０１２１】
ここで、上記の式（９）〜（１１）に、以下の式（１２）及び（１３）で示す拘束条件を追加すると、ユニバーサルジョイントへの入力角ｔａｎθ０と出力角Ψとの関係は、以下の式（１４）で示される。
【０１２２】
【数７】
2014133531.tif 000009
【０１２３】
そして、上記の式（１４）において、出力角Ψをユニバーサルジョイントの出力角θｏｕｔに置き換え、入力角ｔａｎθ０をユニバーサルジョイントの入力角ｔａｎθＩｎに置き換えると、以下の式（１５）が成立する。
【０１２４】
【数８】
2014133531.tif 000010
【０１２５】
ここで、上記の式（１５）は、ユニバーサルジョイントの位相角θｏｆｆｓｅｔが存在していない状態における、ユニバーサルジョイントの入力角ｔａｎθＩｎと出力角θｏｕｔとの関係を示す式となる。
また、車両の構成としては、ステアリングホイール３２と転舵輪２４との間における各種構成部品のレイアウト等に応じて、各ユニバーサルジョイントの入力軸と出力軸を直列に配列することは少ない。このため、ユニバーサルジョイントの位相角θｏｆｆｓｅｔが存在する構成が一般的である。
【０１２６】
すなわち、図１２中に示すように、一般的な構成の車両では、ユニバーサルジョイントの入力角ｔａｎθＩｎと出力角θｏｕｔとの間に、位相角θｏｆｆｓｅｔが存在することとなる。なお、図１２は、ユニバーサルジョイントにおける入力側の軸及び出力側の軸と、位相角との関係を示す図である。また、図１２中には、説明のために、入力側の軸から出力側の軸への力の流れを、直線の矢印で示している。
したがって、上記の式（１５）で示す、ユニバーサルジョイントの入力角ｔａｎθＩｎと出力角θｏｕｔとの関係に対して、入力角ｔａｎθＩｎに位相角θｏｆｆｓｅｔを加算すると、上記の式（１）で示されるユニバーサルジョイント出力角算出モデルが成立する。
【０１２７】
（ユニバーサルジョイントオフセット成分算出モデルが成立する原理）
以下、図１から図１２を参照して、ユニバーサルジョイントオフセット成分算出モデルが成立する原理について説明する。
転舵輪２４の転舵角を算出する際には、上述したように、ユニバーサルジョイント２３の出力角θｏｕｔから、各ユニバーサルジョイントのオフセット成分による影響を除去する。したがって、上記の式（１５）において、ユニバーサルジョイントの入力角ｔａｎθＩｎ及び出力角θｏｕｔを０［°］とすると、以下の式（１６）からオフセット成分を減算することにより、各ユニバーサルジョイントのオフセット成分による影響を除去する。
【０１２８】
【数９】
2014133531.tif 000011
【０１２９】
したがって、上記の式（１５）で示す、ユニバーサルジョイントの入力角ｔａｎθＩｎと出力角θｏｕｔとの関係から、ユニバーサルジョイントのオフセット成分を減算すると、上記の式（３）で示されるユニバーサルジョイントオフセット成分算出モデルが成立する。
【０１３０】
（転舵側前回処理内容記憶部ＭＡ、反力側前回処理内容記憶部ＭＢ）
以下、図１から図１２を参照して、転舵側前回処理内容記憶部ＭＡの構成と、反力側前回処理内容記憶部ＭＢの構成について説明する。
転舵側前回処理内容記憶部ＭＡは、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ‐Ｏｎｌｙ  Ｍｅｍｏｒｙ）を用いて形成する。
【０１３１】
また、転舵側前回処理内容記憶部ＭＡは、エンジンコントローラ５２から、エンジンの状態を含む情報信号の入力を受け、さらに、操舵角センサ３４から、ステアリングホイール３２の現在操舵角を含む情報信号の入力を受ける。これに加え、転舵側前回処理内容記憶部ＭＡは、クラッチ角偏差算出部７０から、クラッチ角偏差を含む情報信号の入力を受け、さらに、転舵角算出部７６から、転舵輪２４の転舵角を含む情報信号の入力を受ける。
そして、転舵側前回処理内容記憶部ＭＡは、イグニッションスイッチがオフ状態となった時点における、現在操舵角と、クラッチ角偏差と、転舵輪２４の転舵角を記憶する。
【０１３２】
反力側前回処理内容記憶部ＭＢは、転舵側前回処理内容記憶部ＭＡと同様、例えば、ＥＥＰＲＯＭを用いて形成する。
また、反力側前回処理内容記憶部ＭＢは、転舵側前回処理内容記憶部ＭＡと同様、エンジンコントローラ５２、操舵角センサ３４、クラッチ角偏差算出部７０、転舵角算出部７６から、それぞれ、情報信号の入力を受ける。
そして、反力側前回処理内容記憶部ＭＢは、転舵側前回処理内容記憶部ＭＡと同様、イグニッションスイッチがオフ状態となった時点における、現在操舵角と、クラッチ角偏差と、転舵輪２４の転舵角を記憶する。
【０１３３】
（指令演算部５４が行なう処理）
次に、図１から図１２を参照しつつ、図１３から図１５を用いて、指令演算部５４が行なう処理について説明する。
指令演算部５４が行なう処理としては、例えば、車両の出荷前に行なう処理と、出荷後の車両に対して行なう処理がある。
【０１３４】
・車両の出荷前に行なう処理
図１３は、車両の出荷前に行なう処理を示すフローチャートである。
指令演算部５４が車両の出荷前に行なう処理としては、ジョイント角αを算出及び記憶する処理と、位相角θｏｆｆｓｅｔを記憶する処理がある。
図１３中に示すように、車両の出荷前に行なう処理を開始（ＳＴＡＲＴ）すると、まず、ステップＳ１０の処理を行う。
【０１３５】
ステップＳ１０では、例えば、整備工場等において、ステアリングホイール３２の操舵角と転舵輪２４の実転舵角を、共に中立位置へ調整（図中に示す「操舵角と実転舵角を中立位置に調整」）する。ステップＳ１０において、操舵角及び実転舵角を中立位置へ調整すると、車両の出荷前に指令演算部５４が行なう処理は、ステップＳ２０へ移行する。
ステップＳ２０では、ジョイント角α１〜α4を算出し、操舵側クラッチ角算出部６６、転舵側クラッチ角算出部６８及び転舵角算出部７６に記憶（図中に示す「ジョイント角αを算出・記憶」）する。ステップＳ２０において、ジョイント角αを算出及び記憶すると、車両の出荷前に指令演算部５４が行なう処理は、ステップＳ３０へ移行する。
【０１３６】
ステップＳ３０では、位相角θｏｆｆｓｅｔ１〜θｏｆｆｓｅｔ4を、操舵側クラッチ角算出部６６、転舵側クラッチ角算出部６８及び転舵角算出部７６に記憶（図中に示す「位相角θｏｆｆｓｅｔを記憶」）する。ステップＳ３０において、位相角θｏｆｆｓｅｔを記憶すると、車両の出荷前に指令演算部５４が行なう処理は、ステップＳ４０へ移行する。
ステップＳ４０では、操舵角に対する転舵モータ回転角の偏差を、操舵角と転舵モータ回転角との関係として、中立位置記憶部６０に記憶（図中に示す「中立位置を記憶」）する。ステップＳ４０において、操舵角と転舵モータ回転角との関係を記憶すると、車両の出荷前に指令演算部５４が行なう処理は終了（ＥＮＤ）する。
【０１３７】
・出荷後の車両に対して行なう処理
出荷後の車両に対して指令演算部５４が行なう処理としては、クラッチ角偏差を算出・記憶する処理と、転舵輪２４の転舵角を算出する処理と、操舵角と転舵モータ回転角との関係を補正する処理がある。
図１４は、出荷後の車両に対して行なう処理のうち、クラッチ角偏差を算出・記憶する処理を示すフローチャートである。なお、指令演算部５４は、予め設定した周期（例えば、５［ｍｓ］）で、以下に説明する処理を行う。
【０１３８】
図１４中に示すように、クラッチ角偏差を算出する処理を開始（ＳＴＡＲＴ）すると、まず、ステップＳ１００の処理を行う。
ステップＳ１００では、イグニッションスイッチがオフ状態であるか否かを判定する処理（図中に示す「ＩＧＮ−ＯＦＦ？」）を行う。
ステップＳ１００において、イグニッションスイッチがオフ状態である（図中に示す「Ｙｅｓ」）と判定した場合、クラッチ角偏差を算出する処理は、ステップＳ１１０へ移行する。
【０１３９】
一方、ステップＳ１００において、イグニッションスイッチがオフ状態ではない（図中に示す「Ｎｏ」）と判定した場合、クラッチ角偏差を算出する処理は、ステップＳ１００の処理を繰り返す。
ステップＳ１１０では、クラッチ状態切り替え部６４により、クラッチ６を連結状態に切り替えるためのクラッチ電流指令をクラッチ６へ出力する。これに加え、クラッチ６へ出力したクラッチ駆動電流を参照して、クラッチ６が締結状態（滑り締結状態を含まない完全締結状態）であるか否かを判定する処理（図中に示す「クラッチ締結？」）を行う。
【０１４０】
ステップＳ１１０において、クラッチ６が締結状態である（図中に示す「Ｙｅｓ」）と判定した場合、クラッチ角偏差を算出する処理は、ステップＳ１２０へ移行する。
一方、ステップＳ１１０において、クラッチ６が締結状態ではない（図中に示す「Ｎｏ」）と判定した場合、クラッチ角偏差を算出する処理は、ステップＳ１１０の処理を繰り返す。
【０１４１】
ステップＳ１２０では、トルクセンサ値Ｖｔｓが操舵側クラッチ角算出用トルク閾値の範囲内であるか否かを判定する処理（図中に示す「Ｖｔｓが操舵側クラッチ角算出用トルク閾値の範囲内？」）を行う。
ステップＳ１２０において、トルクセンサ値Ｖｔｓが操舵側クラッチ角算出用トルク閾値の範囲内である（図中に示す「Ｙｅｓ」）と判定した場合、クラッチ角偏差を算出する処理は、ステップＳ１３０へ移行する。
【０１４２】
一方、ステップＳ１２０において、トルクセンサ値Ｖｔｓが操舵側クラッチ角算出用トルク閾値の範囲外である（図中に示す「Ｎｏ」）と判定した場合、クラッチ角偏差を算出する処理は、ステップＳ１２０の処理を繰り返す。
ステップＳ１３０では、操舵側クラッチ角算出部６６により、ユニバーサルジョイント出力角算出モデルを用いて、操舵側クラッチ角θｃｌ＿ｉｎを算出（図中に示す「操舵側クラッチ角θｃｌ＿ｉｎを算出」）する処理を行う。ステップＳ１３０において、操舵側クラッチ角θｃｌ＿ｉｎを算出すると、クラッチ角偏差を算出する処理は、ステップＳ１４０へ移行する。
【０１４３】
ステップＳ１４０では、トルクセンサ値Ｖｔｓが転舵側クラッチ角算出用トルク閾値の範囲内であるか否かを判定する処理（図中に示す「Ｖｔｓが転舵側クラッチ角算出用トルク閾値の範囲内？」）を行う。
ステップＳ１４０において、トルクセンサ値Ｖｔｓが転舵側クラッチ角算出用トルク閾値の範囲内である（図中に示す「Ｙｅｓ」）と判定した場合、クラッチ角偏差を算出する処理は、ステップＳ１５０へ移行する。
【０１４４】
一方、ステップＳ１４０において、トルクセンサ値Ｖｔｓが転舵側クラッチ角算出用トルク閾値の範囲外である（図中に示す「Ｎｏ」）と判定した場合、クラッチ角偏差を算出する処理は、ステップＳ１４０の処理を繰り返す。
ステップＳ１５０では、転舵側クラッチ角算出部６８により、ユニバーサルジョイント逆出力角算出モデルを用いて、転舵側クラッチ角θｃｌ＿ｏｕｔを算出（図中に示す「転舵側クラッチ角θｃｌ＿ｏｕｔを算出」）する処理を行う。ステップＳ１５０において、転舵側クラッチ角θｃｌ＿ｏｕｔを算出すると、クラッチ角偏差を算出する処理は、ステップＳ１６０へ移行する。
【０１４５】
ステップＳ１６０では、ステップＳ１５０で算出した転舵側クラッチ角θｃｌ＿ｏｕｔから、ステップＳ１３０で算出した操舵側クラッチ角θｃｌ＿ｉｎを減算する。これにより、ステップＳ１６０では、クラッチ角偏差算出部７０が、クラッチ角偏差ｄθＣＬを算出（図中に示す「クラッチ角偏差ｄθＣＬを算出」）する処理を行う。ステップＳ１６０において、クラッチ角偏差ｄθＣＬを算出すると、クラッチ角偏差を算出する処理は、ステップＳ１７０へ移行する。
ステップＳ１７０では、クラッチ角偏差記憶部７２が、ステップＳ１６０で算出したクラッチ角偏差ｄθＣＬを記憶（図中に示す「クラッチ角偏差ｄθＣＬを記憶」）する処理を行う。ステップＳ１７０において、クラッチ角偏差ｄθＣＬを記憶すると、クラッチ角偏差を算出する処理は終了（ＥＮＤ）する。
【０１４６】
・転舵輪２４の転舵角を算出する処理と、操舵角と転舵モータ回転角との関係を補正する処理
図１５は、出荷後の車両に対して行なう処理のうち、転舵輪２４の転舵角を算出する処理と、操舵角と転舵モータ回転角との関係を補正する処理を示すフローチャートである。
図１５中に示すフローチャートは、イグニッションスイッチがオフ状態からオン状態となると開始（ＳＴＡＲＴ）し、まず、ステップＳ２００の処理を行う。
【０１４７】
ステップＳ２００では、トルクセンサ値Ｖｔｓが転舵角算出用トルク閾値の範囲内であるか否かを判定する処理（図中に示す「Ｖｔｓが転舵角算出用トルク閾値の範囲内？」）を行う。
ステップＳ２００において、トルクセンサ値Ｖｔｓが転舵角算出用トルク閾値の範囲内である（図中に示す「Ｙｅｓ」）と判定した場合、転舵輪２４の転舵角を算出する処理は、ステップＳ２１０へ移行する。
【０１４８】
一方、ステップＳ２００において、トルクセンサ値Ｖｔｓが転舵角算出用トルク閾値の範囲外である（図中に示す「Ｎｏ」）と判定した場合、転舵輪２４の転舵角を算出する処理は、ステップＳ２００の処理を繰り返す。
ステップＳ２１０では、イグニッションスイッチをオン状態とした時点の現在操舵角を、ユニバーサルジョイント出力角算出モデルに入力して、ユニバーサルジョイント１１の出力角θｏｕｔを、操舵側クラッチ角θｃｌ＿ｉｎとして算出する。これにより、ステップＳ２１０では、操舵側ユニバーサルジョイントの出力角を算出（図中に示す「操舵側ユニバーサルジョイントの出力角を算出」）する処理を行う。ステップＳ２１０において、操舵側ユニバーサルジョイントの出力角を算出すると、転舵輪２４の転舵角を算出する処理は、ステップＳ２２０へ移行する。
【０１４９】
ステップＳ２２０では、ステップＳ２１０で算出した操舵側ユニバーサルジョイントの出力角である操舵側クラッチ角θｃｌ＿ｉｎに、ステップＳ１７０で記憶したクラッチ角偏差ｄθＣＬを加算する。これにより、ステップＳ２２０では、転舵角算出用転舵側クラッチ角Ｐθｃｌ＿ｏｕｔを算出（図中に示す「転舵角算出用転舵側クラッチ角Ｐθｃｌ＿ｏｕｔを算出」）する処理を行う。ステップＳ２２０において、転舵角算出用転舵側クラッチ角Ｐθｃｌ＿ｏｕｔを算出すると、転舵輪２４の転舵角を算出する処理は、ステップＳ２３０へ移行する。
【０１５０】
ステップＳ２３０では、ステップＳ２２０で算出した転舵角算出用転舵側クラッチ角Ｐθｃｌ＿ｏｕｔを、ユニバーサルジョイント出力角算出モデルに入力して、ユニバーサルジョイント２３の出力角θｏｕｔを算出する。これにより、ステップＳ２３０では、転舵側ユニバーサルジョイントの出力角を算出（図中に示す「転舵側ユニバーサルジョイントの出力角を算出」）する処理を行う。ステップＳ２３０において、転舵側ユニバーサルジョイントの出力角を算出すると、転舵輪２４の転舵角を算出する処理は、ステップＳ２４０へ移行する。
【０１５１】
ステップＳ２４０では、ステップＳ２３０で算出したユニバーサルジョイント２３の出力角θｏｕｔから、ユニバーサルジョイントオフセット成分算出モデルに基づくオフセット成分を減算（図中に示す「オフセット成分を減算」）する処理を行う。これにより、ステップＳ２４０では、ユニバーサルジョイント２３の出力角θｏｕｔから各ユニバーサルジョイント（７、１１、１９、２３）のオフセット成分による影響を除去する。ステップＳ２４０において、ユニバーサルジョイント２３の出力角θｏｕｔからオフセット成分を減算すると、転舵輪２４の転舵角を算出する処理は、ステップＳ２５０へ移行する。
【０１５２】
ステップＳ２５０では、ステップＳ２４０オフセット成分を減算したユニバーサルジョイント２３の出力角θｏｕｔを、トルクセンサモデルを用いて補正（図中に示す「トルクセンサモデルにより補正」）する処理を行う。ステップＳ２５０において、ユニバーサルジョイント２３の出力角θｏｕｔをトルクセンサモデルにより補正すると、転舵輪２４の転舵角を算出する処理は、ステップＳ２６０へ移行する。そして、転舵輪２４の転舵角を算出する処理から、操舵角と転舵モータ回転角との関係を補正する処理へ移行する。
【０１５３】
ステップＳ２６０では、ステップＳ２１０で用いた現在操舵角とステップＳ２５０で補正した出力角θｏｕｔとの関係と、上述したステップＳ４０で中立位置記憶部６０に記憶した操舵角と転舵モータ回転角との関係を参照する。そして、ステップＳ２１０で用いた現在操舵角とステップＳ２５０で補正した出力角θｏｕｔとの偏差である出荷後偏差と、中立位置記憶部６０に記憶した偏差である出荷前偏差が異なるか否かを判定（図中に示す「出荷後偏差≠出荷前偏差？」）する処理を行う。
ステップＳ２６０において、出荷後偏差と出荷前偏差が異なる（図中に示す「Ｙｅｓ」）と判定した場合、操舵角と転舵モータ回転角との関係を補正する処理は、ステップＳ２７０へ移行する。
【０１５４】
一方、ステップＳ２６０において、出荷後偏差と出荷前偏差が等しい（図中に示す「Ｎｏ」）と判定した場合、操舵角と転舵モータ回転角との関係を補正する処理は、ステップＳ２８０へ移行する。
ステップＳ２７０では、ステップＳ４０で中立位置記憶部６０に記憶した操舵角と転舵モータ回転角との関係を、ステップＳ２５０で補正した出荷後偏差に基づく関係に補正（図中に示す「中立位置を補正」）する処理を行う。ステップＳ２７０において、中立位置記憶部６０に記憶した操舵角と転舵モータ回転角との関係を補正すると、操舵角と転舵モータ回転角との関係を補正する処理は、ステップＳ２９０へ移行する。
【０１５５】
ステップＳ２８０では、ステップＳ４０で中立位置記憶部６０に記憶した操舵角と転舵モータ回転角との関係を補正せずに維持（図中に示す「中立位置を維持」）する処理を行う。ステップＳ２８０において、中立位置記憶部６０に記憶した操舵角と転舵モータ回転角との関係を維持すると、操舵角と転舵モータ回転角との関係を補正する処理は、ステップＳ２９０へ移行する。
【０１５６】
ステップＳ２９０では、クラッチ状態切り替え部６４により、クラッチ６を開放状態に切り替えるためのクラッチ電流指令をクラッチ６へ出力（図中に示す「クラッチ開放指令を出力」）を行う。ステップＳ２９０において、クラッチ６を開放状態に切り替えるためのクラッチ電流指令をクラッチ６へ出力すると、操舵角と転舵モータ回転角との関係を補正する処理は終了（ＥＮＤ）する。
【０１５７】
（トルク比推定部８０が入出力トルク比を演算する処理）
以下、図１から図１５を参照しつつ、図１６を用いて、ＥＰＳ制御ブロック７８が行なう処理のうち、トルク比推定部８０が入出力トルク比を演算する処理について説明する。
図１６は、トルク比推定部８０が入出力トルク比を演算する処理を示すフローチャートである。
【０１５８】
図１６中に示すフローチャートを開始（ＳＴＡＲＴ）すると、まず、ステップＳ３００の処理として、イグニッションスイッチをオン状態に維持しつつ、クラッチ６を締結状態（図中に示す「クラッチ締結」）とする処理を行う。なお、ステップＳ３００では、クラッチ６を、滑り締結状態を含まない完全締結状態とする処理を行う。ステップＳ３００において、クラッチ６を締結状態とすると、入出力トルク比を演算する処理は、ステップＳ３１０へ移行する。
【０１５９】
ステップＳ３１０では、クラッチ角偏差記憶部７２が記憶しているクラッチ角偏差が、最新のクラッチ角偏差ｄθＣＬに更新されているか否かを判定する処理（図中に示す「クラッチ角偏差更新済み？」）を行う。
ステップＳ３１０において、クラッチ角偏差ｄθＣＬが更新されていない（図中に示す「Ｎｏ」）と判定した場合、入出力トルク比を演算する処理は、ステップＳ３２０へ移行する。
【０１６０】
一方、ステップＳ３１０において、クラッチ角偏差ｄθＣＬが更新されている（図中に示す「Ｙｅｓ」）と判定した場合、入出力トルク比を演算する処理は、ステップＳ３４０へ移行する。
ステップＳ３２０では、クラッチ角偏差算出部７０によりクラッチ角偏差ｄθＣＬを算出（図中に示す「クラッチ角偏差算出」）する処理を行う。ステップＳ３２０において、クラッチ角偏差ｄθＣＬを算出すると、入出力トルク比を演算する処理は、ステップＳ３３０へ移行する。なお、クラッチ角偏差ｄθＣＬを算出する処理としては、例えば、イグニッションスイッチをオン状態としてクラッチ６を締結状態とした時点の現在操舵角及び転舵モータ回転角を用いる点を除き、上述したステップＳ１２０〜Ｓ１６０と同様の処理を用いる。
【０１６１】
ステップＳ３３０では、クラッチ角偏差記憶部７２に記憶しているクラッチ角偏差を、ステップＳ３２０で算出したクラッチ角偏差ｄθＣＬに更新（図中に示す「クラッチ角偏差更新」）する処理を行う。ステップＳ３３０において、クラッチ角偏差ｄθＣＬを更新すると、入出力トルク比を演算する処理は、ステップＳ３１０へ移行する。なお、クラッチ角偏差ｄθＣＬを更新する処理としては、例えば、上述したステップＳ１７０と同様の処理を用いる。
【０１６２】
ステップＳ３４０では、操舵角センサ３４により、クラッチ６を締結状態とした時点の現在操舵角θＨを検出（図中に示す「現在操舵角検出」）する処理を行う。ステップＳ３４０において、現在操舵角θＨを検出すると、入出力トルク比を演算する処理は、ステップＳ３５０へ移行する。
ステップＳ３５０では、転舵角算出部７６により、クラッチ６を締結状態とした時点における転舵輪２４の転舵角を、ピニオン角の現在の推定値として算出（図中に示す「現在ピニオン角推定」）する処理を行う。ステップＳ３５０において、ピニオン角の現在の推定値を算出すると、入出力トルク比を演算する処理は、ステップＳ３６０へ移行する。なお、以降の説明では、ステップＳ３５０で算出したピニオン角の現在の推定値を、「現在ピニオン角ｆ（θＨ）」と示す場合がある。また、ピニオン角の現在の推定値を算出する処理としては、上述したステップＳ２００〜Ｓ２５０と同様の処理を用いる。
【０１６３】
ステップＳ３６０では、ユニバーサルジョイント７の出力角θｏｕｔを算出するためのユニバーサルジョイント出力角算出モデルに対し、現在操舵角θＨに仮想変位角ΔθＨを加算して、仮想操舵角を入力（図中に示す「仮想操舵角入力」）する処理を行う。ステップＳ３６０において、ユニバーサルジョイント７の出力角θｏｕｔを算出するためのユニバーサルジョイント出力角算出モデルに仮想操舵角を入力すると、入出力トルク比を演算する処理は、ステップＳ３７０へ移行する。なお、以降の説明では、ステップＳ３６０で入力した仮想操舵角を、「θＨ＋ΔθＨ」と示す場合がある。
ここで、仮想変位角ΔθＨは、予め設定した微小時間Δｔ（例えば、５［ｍｓ］）の間における操舵角の変化量に対応するパラメータである。また、仮想変位角ΔθＨと微小時間Δｔとの関係は、微小時間Δｔの間における操舵角の角速度を「ωθＨ」と定義すると、以下の式（１７）で示される。
【０１６４】
【数１０】
2014133531.tif 000012
【０１６５】
ステップＳ３７０では、転舵角算出部７６により、仮想操舵角θＨ＋ΔθＨを入力したユニバーサルジョイント出力角算出モデルに基づく転舵輪２４の転舵角を、ピニオン角の仮想の推定値として算出（図中に示す「仮想ピニオン角推定」）する処理を行う。ステップＳ３７０において、ピニオン角の仮想の推定値を算出すると、入出力トルク比を演算する処理は、ステップＳ３８０へ移行する。なお、以降の説明では、ステップＳ３７０で算出したピニオン角の仮想の推定値を、「仮想ピニオン角ｆ（θＨ＋ΔθＨ）」と示す場合がある。
【０１６６】
ステップＳ３８０では、ピニオン角の偏差であるピニオン角偏差を算出（図中に示す「ピニオン角偏差算出」）する処理を行う。ここで、ピニオン角偏差は、ステップＳ３７０で算出した仮想ピニオン角ｆ（θＨ＋ΔθＨ）から、ステップＳ３５０で算出した現在ピニオン角ｆ（θＨ）を減算して算出する。ステップＳ３８０において、ピニオン角偏差を算出すると、入出力トルク比を演算する処理は、ステップＳ３９０へ移行する。なお、以降の説明では、ステップＳ３８０で算出したピニオン角偏差を、「ΔθＰ」と示す場合がある。
【０１６７】
ここで、ピニオン角偏差ΔθＰは、予め設定した微小時間Δｔの間におけるピニオン角の変化量に対応するパラメータである。また、ピニオン角偏差ΔθＰと微小時間Δｔとの関係は、微小時間Δｔの間におけるピニオン角の角速度を「ωθＰ」と定義すると、以下の式（１８）で示される。
【０１６８】
【数１１】
2014133531.tif 000013
【０１６９】
ステップＳ３９０では、仮想変位角ΔθＨとピニオン角偏差ΔθＰとの偏差比である入出力偏差比を算出（図中に示す「入出力偏差比算出」）する処理を行う。ここで、入出力偏差比は、ステップＳ３８０で算出したピニオン角偏差ΔθＰを、ステップＳ３６０の処理で用いた仮想変位角ΔθＨにより除算して算出する。ステップＳ３９０において、入出力偏差比を算出すると、入出力トルク比を演算する処理は、ステップＳ４００へ移行する。なお、以降の説明では、ステップＳ３９０で算出した入出力偏差比を、「ΔθＰ／ΔθＨ」と示す場合がある。
【０１７０】
ここで、入出力偏差比ΔθＰ／ΔθＨは、以下の式（１９）に示すように、微小時間Δｔの間における操舵角の角速度ωθＨとピニオン角の角速度ωθＰとの速度比に応じたパラメータである。このため、上述したステップＳ３６０で仮想変位角ΔθＨを用いることにより、ユニバーサルジョイント出力角算出モデルを用いて、角速度ωθＨと角速度ωθＰとの速度比を算出することが可能となる。
【０１７１】
【数１２】
2014133531.tif 000014
【０１７２】
すなわち、仮想操舵角θＨ＋ΔθＨをユニバーサルジョイント出力角算出モデルに入力して、仮想ピニオン角ｆ（θＨ＋ΔθＨ）を算出することが可能である。これは、現在操舵角θＨをユニバーサルジョイント出力角算出モデルに入力して現在ピニオン角ｆ（θＨ）を算出する処理に対応する。
したがって、仮想操舵角θＨ＋ΔθＨから現在操舵角θＨを減算して仮想変位角ΔθＨを算出する処理は、仮想ピニオン角ｆ（θＨ＋ΔθＨ）から現在ピニオン角ｆ（θＨ）を減算してピニオン角偏差ΔθＰを算出する処理に対応する。
【０１７３】
ステップＳ４００では、ステップＳ３９０で算出した入出力偏差比ΔθＰ／ΔθＨの逆数を演算して、入出力偏差比ΔθＰ／ΔθＨを入出力トルク比に変換（図中に示す「入出力トルク比に変換」）する処理を行う。すなわち、ステップＳ４００では、以下の式（２０）により、入出力トルク比Ｔｒａｔｉｏを算出する。ステップＳ４００において、入出力トルク比Ｔｒａｔｉｏを算出すると、入出力トルク比を演算する処理は終了（ＥＮＤ）する。
Ｔｒａｔｉｏ＝１／（ΔθＰ／ΔθＨ）  …  （２０）
【０１７４】
ここで、角速度ωθＨと角速度ωθＰとの速度比は、入出力トルク比Ｔｒａｔｉｏの逆数となるため、入出力偏差比ΔθＰ／ΔθＨに基づいて算出した入出力トルク比Ｔｒａｔｉｏを用いて、トルク伝達経路におけるトルクの増幅率を推定することが可能となる。
以上により、トルク比推定部８０は、仮想操舵角θＨ＋ΔθＨをユニバーサルジョイント出力角算出モデルに入力した値に基づいて、ユニバーサルジョイントの仮想ピニオン角ｆ（θＨ＋ΔθＨ）を算出する。さらに、現在操舵角θＨをユニバーサルジョイント出力角算出モデルに入力した値に基づいて、現在ピニオン角ｆ（θＨ）を算出する。
【０１７５】
これに加え、トルク比推定部８０は、仮想ピニオン角ｆ（θＨ＋ΔθＨ）から現在ピニオン角ｆ（θＨ）を減算して、ピニオン角偏差ΔθＰを算出する。そして、算出したピニオン角偏差ΔθＰと、仮想変位角ΔθＨと、の比である入出力偏差比ΔθＰ／ΔθＨに基づいて、入出力トルク比Ｔｒａｔｉｏを演算する。
また、トルク比推定部８０は、転舵角算出用転舵側クラッチ角Ｐθｃｌ＿ｏｕｔをユニバーサルジョイント出力角算出モデルに入力した値に基づいて、入出力トルク比Ｔｒａｔｉｏを演算する。
また、アシストトルク算出部８６は、クラッチ６を連結状態に切り替えた状態でトルク比推定部８０が演算した入出力トルク比Ｔｒａｔｉｏに基づいて、アシストトルクの指令値を算出する。
【０１７６】
（動作）
次に、図１から図１６を参照しつつ、図１７を用いて、本実施形態の車両用操舵制御装置１を用いて行なう動作の一例を説明する。なお、図１７は、本実施形態の車両用操舵制御装置１を用いた車両の動作を示すタイムチャートである。
図１７中に示すタイムチャートは、車両の走行中等、イグニッションスイッチがオン状態であり、トルク伝達経路を機械的に分離させて、ＳＢＷシステムの制御を実施している状態（図中に示す「ＳＢＷシステム制御中」）からスタートする。なお、ＳＢＷシステムの制御とは、例えば、高速走行時には低速走行時よりも操舵角に対する転舵角の変化度合いを減少させる制御（可変ギヤ制御）等、車速に応じた転舵角の制御である。また、ＳＢＷシステムの制御は、中立位置記憶部６０に記憶した操舵角と転舵モータ回転角との関係と、操舵角センサ３４が検出した現在操舵角θＨと、車速センサ５０が検出した車速を用いて行なう。
【０１７７】
そして、例えば、運転者が制御切り替えスイッチを操作して、ＳＢＷシステムによる制御からＥＰＳ制御へ切り替えた時点ｔ１で、ＳＢＷシステムの制御を終了し、ＥＰＳ制御の開始時における処理（図中に示す「ＥＰＳ制御開始時の処理」）を行う。
時点ｔ１で行なう処理は、クラッチ６を連結状態（図中に示す「クラッチ締結」）に切り替えてトルク伝達経路を機械的に連結し、さらに、クラッチ角偏差ｄθＣＬを算出・記憶する処理である。これに加え、時点ｔ１では、入出力トルク比を演算する処理を行なう。
【０１７８】
そして、演算した入出力トルク比に基づいて算出したアシストトルクの指令値を用いて、ＥＰＳ制御を実施する。
ＥＰＳ制御を実施している状態（図中に示す「ＥＰＳシステム制御中」）から、ＥＰＳ制御からＳＢＷシステムによる制御へ切り替えた時点ｔ２で、ＳＢＷシステム制御の起動時における処理（図中に示す「ＳＢＷシステム起動時の処理」）を行う。
なお、ＥＰＳ制御からＳＢＷシステムによる制御へ切り替えは、例えば、運転者が制御切り替えスイッチを操作すると行なう。
【０１７９】
時点ｔ２で行なう処理は、クラッチ６を開放状態（図中に示す「クラッチ開放」）に切り替える前に行なう処理であり、転舵輪２４の転舵角を算出する処理と、操舵角と転舵モータ回転角との関係を補正または維持する処理である。
そして、転舵輪２４の転舵角を算出する処理と、操舵角と転舵モータ回転角との関係を補正または維持する処理を終了すると、連結状態のクラッチ６を開放状態に切り替え、ＳＢＷシステムの制御を開始（図中に示す「ＳＢＷシステム制御中」）する。
【０１８０】
ここで、本実施形態の車両用操舵制御装置１では、ＥＰＳ制御の開始時に、現在ピニオン角ｆ（θＨ）と、仮想ピニオン角ｆ（θＨ＋ΔθＨ）を算出する。これに加え、仮想ピニオン角ｆ（θＨ＋ΔθＨ）から現在ピニオン角ｆ（θＨ）を減算して、ピニオン角偏差ΔθＰを算出し、ピニオン角偏差ΔθＰを仮想変位角ΔθＨにより除算して、入出力偏差比ΔθＰ／ΔθＨを算出する。さらに、入出力偏差比ΔθＰ／ΔθＨの逆数を演算して、入出力トルク比Ｔｒａｔｉｏを算出する。
【０１８１】
そして、算出した入出力トルク比Ｔｒａｔｉｏと、トルク比マップ記憶部８４が記憶している入出力トルク比マップのうち、少なくとも一方を用いてアシストトルクの指令値を算出し、算出したアシストトルクの指令値に基づいてＥＰＳ制御を実施する。
すなわち、仮想操舵角θＨ＋ΔθＨをユニバーサルジョイント出力角算出モデルに入力して算出した、トルク伝達経路における出力変化の比である入出力偏差比ΔθＰ／ΔθＨを用いて、入出力トルク比Ｔｒａｔｉｏを算出する。
【０１８２】
したがって、トルク伝達経路にトルク変動が発生した場合であっても、トルク伝達経路へ入力する操舵角の変化に応じた入出力トルク比Ｔｒａｔｉｏを算出することが可能となる。このため、ユニバーサルジョイントの不等速性によりトルク伝達経路に発生するトルク変動を推定することが可能となり、ＥＰＳ制御において、運転者の操舵操作に対して転舵角を適切に制御することが可能となる。
なお、上述した操舵角センサ３４は、操舵角検出部に対応する。
【０１８３】
また、上述した転舵モータ角度センサ１６は、転舵アクチュエータ回転角検出部に対応する。
また、上述したピニオン軸トルクセンサ４６ｔは、操舵トルク検出部に対応する。
また、上述したように、本実施形態の車両用操舵制御装置１の動作で実施する車両用操舵制御方法は、トルクセンサ値Ｖｔｐと入出力トルク比Ｔｒａｔｉｏに基づいて、アシストトルクの指令値を算出する方法である。ここで、入出力トルク比Ｔｒａｔｉｏは、ピニオン角偏差ΔθＰと仮想変位角ΔθＨとの比である入出力偏差比ΔθＰ／ΔθＨに基づいて演算する。また、ピニオン角偏差ΔθＰは、仮想ピニオン角ｆ（θＨ＋ΔθＨ）及び現在ピニオン角ｆ（θＨ）に基づいて算出する。
【０１８４】
（第一実施形態の効果）
本実施形態では、以下に記載する効果を奏することが可能となる。
（１）トルク比推定部８０が、ピニオン角偏差ΔθＰと仮想変位角ΔθＨとの比である入出力偏差比ΔθＰ／ΔθＨに基づいて、入出力トルク比Ｔｒａｔｉｏを演算する。これに加え、アシストトルク算出部８６が、トルクセンサ値Ｖｔｐと入出力トルク比Ｔｒａｔｉｏに基づいて、ステアリングホイール３２の操舵状態に応じて転舵輪２４の転舵を補助するために転舵モータ２から出力するアシストトルクの指令値を算出する。
【０１８５】
このため、トルク伝達経路にトルク変動が発生した場合であっても、ピニオン角偏差と仮想変位角との比であり、トルク伝達経路へ入力する操舵角の変化に応じた入出力トルク比Ｔｒａｔｉｏに基づいて、トルク変動を推定することが可能となる。
その結果、ＥＰＳ制御において、トルク変動に応じた入出力トルク比に基づいて、アシストトルクの指令値を算出することが可能となる。これにより、トルク伝達経路にトルク変動が発生した場合であっても、運転者の操舵操作に対して転舵モータ２を適切に制御することが可能となる。
【０１８６】
（２）トルク比推定部８０が、操舵側クラッチ角θｃｌ＿ｉｎにクラッチ角偏差ｄθＣＬを加算した転舵角算出用転舵側クラッチ角Ｐθｃｌ＿ｏｕｔをユニバーサルジョイント出力角算出モデルに入力した値に基づいて、入出力トルク比Ｔｒａｔｉｏを演算する。これに加え、アシストトルク算出部８６が、クラッチ６を連結状態に切り替えた状態でトルク比推定部８０が演算した入出力トルク比Ｔｒａｔｉｏに基づいて、アシストトルクの指令値を算出する。
【０１８７】
このため、トルク伝達経路にトルク変動が発生した場合であっても、クラッチ６を連結状態に切り替えた状態におけるクラッチ角偏差ｄθＣＬに応じた入出力トルク比Ｔｒａｔｉｏに基づいて、トルク変動を推定することが可能となる。
その結果、クラッチ６の連結状態における締結角度が変化した場合であっても、トルク伝達経路に発生したトルク変動に応じて、運転者の操舵操作に対して転舵モータ２を適切に制御することが可能となる。
【０１８８】
（３）トルク比マップ記憶部８４が、クラッチ角偏差算出部７０が算出したクラッチ角偏差ｄθＣＬが変化すると、記憶しているトルク比マップを、変化したクラッチ角偏差ｄθＣＬに対応する入出力トルク比マップに変更する。これに加え、アシストトルク算出部８６が、トルク比マップ記憶部８４が記憶している入出力トルク比マップに基づいて、アシストトルクの指令値を算出する。
このため、クラッチ６の連結状態における締結角度の違いにより変化する入出力トルク比マップの特性に応じて、アシストトルクの指令値を算出することが可能となる。
その結果、クラッチ６の連結状態における締結角度が変化した場合であっても、入出力トルク比マップの特性に応じて、運転者の操舵操作に対して転舵モータ２を適切に制御することが可能となる。
【０１８９】
（４）トルク比マップ生成部８２が、現在操舵角θＨが１８０度の変化幅で変化する間にトルク比推定部８０が演算した入出力トルク比Ｔｒａｔｉｏの変動と、現在操舵角θＨとを対応させて、入出力トルク比マップを生成する。これに加え、アシストトルク算出部８６が、トルク比マップ生成部８２が生成した入出力トルク比マップに基づいて、アシストトルクの指令値を算出する。
このため、現在操舵角が０［°］〜１８０［°］まで変化する間で一周期分の変動を生じる、現在操舵角に対する入出力トルク比Ｔｒａｔｉｏに基づいて、入出力トルク比マップを生成することが可能となる。
その結果、トルク伝達経路にトルク変動が発生した場合であっても、入出力トルク比Ｔｒａｔｉｏの一周期分の変動を示す入出力トルク比マップに基づいて、トルク変動を推定することが可能となる。
【０１９０】
（５）アシストトルク算出部８６が、トルクセンサ値Ｖｔｐをトルク比推定部８０が演算した入出力トルク比Ｔｒａｔｉｏにより補正して、アシストトルクの指令値を算出する。
このため、運転者がステアリングホイール３２に加えているトルクをトルク伝達経路に発生したトルク変動に応じて補正し、アシストトルクの指令値を算出することが可能となる。
その結果、トルク伝達経路にトルク変動が発生した場合であっても、運転者がステアリングホイール３２に加えているトルク及びトルク変動に応じて、運転者の操舵操作に対して転舵モータ２を適切に制御することが可能となる。
【０１９１】
（６）本実施形態の車両用操舵制御方法では、トルクセンサ値Ｖｔｐと、ピニオン角偏差ΔθＰと仮想変位角ΔθＨとの比である入出力偏差比ΔθＰ／ΔθＨに基づいて演算した入出力トルク比Ｔｒａｔｉｏに基づいて、アシストトルクの指令値を算出する。
このため、トルク伝達経路にトルク変動が発生した場合であっても、ピニオン角偏差と仮想変位角との比であり、トルク伝達経路へ入力する操舵角の変化に応じた入出力トルク比Ｔｒａｔｉｏに基づいて、トルク変動を推定することが可能となる。
その結果、ＥＰＳ制御において、トルク変動に応じた入出力トルク比に基づいて、アシストトルクの指令値を算出することが可能となる。これにより、トルク伝達経路にトルク変動が発生した場合であっても、運転者の操舵操作に対して転舵モータ２を適切に制御することが可能となる。
【０１９２】
（変形例）
（１）本実施形態では、トルク伝達経路が四つのユニバーサルジョイント（７，１１，１９，２３）を備える構成としたが、これに限定するものではなく、ユニバーサルジョイントの数は、例えば、車両のレイアウト等に応じた数であればよい。
この場合、例えば、操舵側ユニバーサルジョイントと転舵側ユニバーサルジョイントを、共に一つのユニバーサルジョイントのみで形成した場合、転舵輪２４の転舵角は、以下の式（２１）を用いて算出する。
【０１９３】
【数１３】
2014133531.tif 000015
【０１９４】
（２）本実施形態では、車両に、操舵側クラッチ角算出部６６、転舵側クラッチ角算出部６８、クラッチ角偏差算出部７０を備える構成としたが、これに限定するものではない。すなわち、例えば、車両の出荷後に、整備工場において、現在操舵角及び実転舵角を共に中立位置に調整した状態で、車外の設備を用いて、操舵側クラッチ角、転舵側クラッチ角及びクラッチ角偏差を算出してもよい。これに加え、算出したクラッチ角偏差を、ケーブル接続等によりクラッチ角偏差記憶部７２へ入力してもよく、また、不揮発性メモリ（Ｎｏｎ‐ｖｏｌａｔｉｌｅ  Ｍｅｍｏｒｙ）等の記憶媒体を介してクラッチ角偏差記憶部７２に記憶させてもよい。
【０１９５】
（３）本実施形態では、ピニオン軸トルクセンサ４６ｔにより、操舵トルク検出部を形成したが、操舵トルク検出部の構成は、これに限定するものではない。すなわち、例えば、操舵トルクセンサ３６及び転舵モータトルクセンサ２ｔのうち少なくとも一方により、操舵トルク検出部を形成してもよい。ここで、転舵モータトルクセンサ２ｔにより操舵トルク検出部を形成する場合には、転舵モータトルクセンサ２ｔが検出した転舵モータトルクを、運転者がステアリングホイール３２に加えているトルクである操舵トルクに変換する処理を行う。
【０１９６】
（４）本実施形態では、転舵側クラッチ角θｃｌ＿ｏｕｔを算出する処理において、イグニッションスイッチがオフ状態となった時点における転舵モータ回転角を、ユニバーサルジョイント２３の逆入力角ｔａｎθＩｎとして上記の式（２）に入力した。しかしながら、転舵側クラッチ角θｃｌ＿ｏｕｔを算出する処理は、これに限定するものではない。
すなわち、イグニッションスイッチがオフ状態となった時点における転舵モータ回転角に、転舵側ユニバーサルジョイント（１９、２３）のオフセット成分を加算した値を、ユニバーサルジョイント２３の逆入力角ｔａｎθＩｎとして上記の式（２）に入力してもよい。
【０１９７】
（５）本実施形態では、転舵側クラッチ角θｃｌ＿ｏｕｔを算出する処理において、イグニッションスイッチがオフ状態となった時点における転舵モータ回転角を、ユニバーサルジョイント２３の逆入力角ｔａｎθＩｎとして上記の式（２）に入力した。しかしながら、転舵側クラッチ角θｃｌ＿ｏｕｔを算出する処理は、これに限定するものではない。
すなわち、イグニッションスイッチがオフ状態となった時点における転舵モータ回転角から、トルクセンサ値Ｖｔｐ及びトルクセンサモデルに基づき、転舵側シャフト及び転舵側ユニバーサルジョイント（１９、２３）のねじれ角を減算した値を算出する。そしてこの算出した値を、ユニバーサルジョイント２３の逆入力角ｔａｎθＩｎとして上記の式（２）に入力してもよい。なお、上記の転舵側シャフトとは、クラッチ出力シャフト１７、転舵側中間シャフト２１、ピニオンシャフト２５である。
【０１９８】
（６）本実施形態では、操舵側クラッチ角算出部６６が、現在操舵角θが操舵側ユニバーサルジョイントを介してクラッチ６へ伝達された回転角である操舵側出力角に基づいて、操舵側クラッチ角θｃｌ＿ｉｎを算出したが、これに限定するものではない。すなわち、仮想操舵角θＨ＋ΔθＨが操舵側ユニバーサルジョイントを介してクラッチ６へ伝達された回転角に基づいて、操舵側クラッチ角θｃｌ＿ｉｎを算出してもよい。同様に、転舵側クラッチ角算出部６８の構成を、仮想合計出力角が転舵側ユニバーサルジョイントを介してクラッチ６へ伝達された回転角に基づいて、転舵側クラッチ角θｃｌ＿ｏｕｔを算出する構成としてもよい。ここで、仮想合計出力角は、転舵角算出用転舵側クラッチ角Ｐθｃｌ＿ｏｕｔをユニバーサルジョイント出力角算出モデルに入力した値を仮想ピニオン角ｆ（θＨ＋ΔθＨ）から減算した角度に、検出した転舵モータ回転角を加算した角度である。
【０１９９】
この場合、仮想変位角ΔθＨに基づいて、操舵側クラッチ角θｃｌ＿ｉｎ及び転舵側クラッチ角θｃｌ＿ｏｕｔを算出することが可能となる。このため、仮想変位角ΔθＨに基づいて、クラッチ角偏差ｄθＣＬを算出することが可能となる。これにより、トルク伝達経路にトルク変動が発生した場合であっても、この発生したトルク変動に応じたクラッチ角偏差ｄθＣＬを算出することが可能となる。
【０２００】
（７）本実施形態では、一つのユニバーサルジョイントを対象とした操舵輪側入力角と転舵輪側出力角との関係を示すモデル式であるユニバーサルジョイント出力角算出モデルを用いて、入出力トルク比Ｔｒａｔｉｏを演算したが、これに限定するものではない。すなわち、ユニバーサルジョイント出力角算出モデルの代わりに、以下の式（２２）で示す総合ユニバーサルジョイント出力角算出モデルを用いて、入出力トルク比Ｔｒａｔｉｏを演算してもよい。
【０２０１】
【数１４】
2014133531.tif 000016
【０２０２】
ここで、総合ユニバーサルジョイント出力角算出モデルは、一つのユニバーサルジョイントを対象とした、ピニオン角偏差ΔθＰと仮想変位角ΔθＨとの関係を示すモデル式を、複数のユニバーサルジョイントを対象として式に置き換えたモデル式である。なお、一つのユニバーサルジョイントを対象とした、ピニオン角偏差ΔθＰと仮想変位角ΔθＨとの関係を示すモデル式は、以下の式（２３）に示す。
【０２０３】
【数１５】
2014133531.tif 000017
【０２０４】
また、総合ユニバーサルジョイント出力角算出モデルは、操舵輪側合計入力角と転舵輪側合計出力角との関係を示すモデル式である。また、操舵輪側合計入力角は、全ユニバーサルジョイント（７，１１，１９，２３）へステアリングホイール３２側から入力した角度の合計値である。また、転舵輪側合計出力角は、全ユニバーサルジョイント（７，１１，１９，２３）を介して操舵輪側入力角を転舵輪２４側へ出力した角度の合計値である。なお、上記の式（２２）中には、全ユニバーサルジョイント（７，１１，１９，２３）のうち、二つのユニバーサルジョイント（７，１１）を対象としたモデル式を示している。
この場合、入出力トルク比Ｔｒａｔｉｏを演算する際に行なう処理（ステップ）の回数を減少させることが可能となる。
【０２０５】
（８）本実施形態では、車両用操舵制御装置１を備えた車両を、ＳＢＷシステムを適用した車両としたが、これに限定するものではない。すなわち、車両の構成を、ＳＢＷシステムを適用しておらず、クラッチ６を備えずに、トルク伝達経路が常にユニバーサルジョイントにより機械的に連結されている構成としてもよい。
この場合、トルク比推定部８０が入出力トルク比を演算する処理は、ステップＳ３００からステップＳ３３０の処理を行なわない（図１６参照）。すなわち、トルク比推定部８０が入出力トルク比を演算する処理を開始すると、ステップＳ３４０の処理を行う。
【０２０６】
（９）本実施形態では、トルク比推定部８０が入出力トルク比を演算する処理において、クラッチ６を締結状態とした時点における転舵輪２４の転舵角を、ピニオン角の現在の推定値として算出する処理を行った（図１６のステップＳ３５０を参照）。しかしながら、トルク比推定部８０が入出力トルク比を演算する処理は、これに限定するものではない。すなわち、クラッチ６を締結状態とした時点における転舵輪２４の転舵角を、ピニオン角の現在の検出値として算出する処理を行ってもよい。この場合、ピニオン角の現在の検出値は、転舵モータ角度センサ１６が検出した転舵モータ回転角に基づいて算出する。もっとも、本実施形態のように、ピニオン角の現在の推定値として算出する処理を行うことにより、ピニオン角の現在の検出値として算出する処理を行う場合と比較して、算出誤差の影響を減少させることが可能となる。
【０２０７】
（１０）本実施形態では、ＥＰＳ制御において、転舵モータ２（転舵アクチュエータ）からアシストトルクを出力する構成としたが、これに限定するものではない。すなわち、ＥＰＳ制御において、反力モータ８（反力アクチュエータ）からアシストトルクを出力する構成としてもよい。また、ＥＰＳ制御において、転舵モータ２及び反力モータ８を用い、転舵モータ２と反力モータ８を協調させてアシストトルクを出力する構成としてもよい。
【符号の説明】
【０２０８】
１    車両用操舵制御装置
２    転舵モータ（転舵アクチュエータ）
２ｔ  転舵モータトルクセンサ
４    転舵モータ制御部
６    クラッチ
７，１１  ユニバーサルジョイント（操舵側ユニバーサルジョイント）
１９，２３  ユニバーサルジョイント（転舵側ユニバーサルジョイント）
８    反力モータ（反力アクチュエータ）
１０  反力モータ制御部
１６  転舵モータ角度センサ
２４  転舵輪
３２  ステアリングホイール
３４  操舵角センサ
４０  クラッチ板
４２  ステアリングシャフト
４４  ピニオン軸
４６  ピニオン
４６ｔ  ピニオン軸トルクセンサ
５０  車速センサ
５２  エンジンコントローラ
５４  指令演算部
５６  反力サーボ制御部
５８  クラッチ制御部
６０  中立位置記憶部
６２  転舵モータ電流指令演算部
６４  クラッチ状態切り替え部
６６  操舵側クラッチ角算出部
６８  転舵側クラッチ角算出部
７０  クラッチ角偏差算出部
７２  クラッチ角偏差記憶部
７４  転舵角記憶部
７６  転舵角算出部
７８  ＥＰＳ制御ブロック
８０  トルク比推定部
８２  トルク比マップ生成部
８４  トルク比マップ記憶部
８６  アシストトルク算出部
ＭＡ  転舵側前回処理内容記憶部
ＭＢ  反力側前回処理内容記憶部
【図１】
2014133531.tif 000018
【図２】
2014133531.tif 000019
【図３】
2014133531.tif 000020
【図４】
2014133531.tif 000021
【図５】
2014133531.tif 000022
【図６】
2014133531.tif 000023
【図７】
2014133531.tif 000024
【図８】
2014133531.tif 000025
【図９】
2014133531.tif 000026
【図１０】
2014133531.tif 000027
【図１１】
2014133531.tif 000028
【図１２】
2014133531.tif 000029
【図１３】
2014133531.tif 000030
【図１４】
2014133531.tif 000031
【図１５】
2014133531.tif 000032
【図１６】
2014133531.tif 000033
【図１７】
2014133531.tif 000034